(57)【要約】  復動時には可動体を所定位置まで復動させた後は復動終了位置まで強制的に復動させる。  第一スライダ４０と第二スライダ４１と付勢手段４２とを持った組スライダ４を有する。可動体Ｍの往動前位置において、第二スライダ４１はスライドロックされ、第一スライダ４０は第一掛合部５０を捕捉してスライドフリーとされ、可動体Ｍの往動終了位置において、第一スライダ４０は第一掛合部５０をリリースした状態で第一スライドロック部６０によってスライドロックされ、第二スライダ４１は第二掛合部５１を捕捉した状態でスライドフリーとされる。可動体Ｍを所定位置まで復動操作させる過程で付勢手段４２に蓄勢され所定位置に至ったときに、第二スライダ４１は第二掛合部５１をリリースすると共にスライドロックされ、第一スライダ４０は第一掛合部５０を捕捉すると共にスライドフリーとされる。
2008044758.tif 000002
【特許請求の範囲】
【請求項１】
前記可動体及び固定体のいずれか一方側にスライド移動可能に備えられる組スライダであって、第一スライダと第二スライダと両スライダを常時近接させる向きに付勢連係させる付勢手段とを組み合わせてなる組スライダと、
可動体及び固定体の他方側に備えられる第一掛合部及びこの第一掛合部との間に組スライダのスライド移動方向に間隔を開けて備えられた第二掛合部と、
可動体及び固定体の一方側に備えられる第一スライドロック部及びこの第一スライドロック部との間に組スライダのスライド移動方向に間隔を開けて備えられた第二スライドロック部と、
この第二スライドロック部による第二スライダのスライドロックの解除手段とを備えており、
可動体の往動前位置において、第二スライダは第二掛合部をリリースした状態でスライドロックされ、かつ、第一スライダは第一掛合部を捕捉した状態でスライドフリーとされ、
可動体の往動終了位置において、第一スライダは第一掛合部をリリースした状態で第一スライドロック部によってスライドロックされ、かつ、第二スライダは第二掛合部を捕捉した状態でスライドフリーとされ、
往動終了位置にある可動体を所定位置まで復動操作させる過程で第一スライダから第二スライダが離隔されて付勢手段に蓄勢され、
この後可動体が所定位置に至ったときに、第二スライダは第二掛合部をリリースすると共にスライドロックされ、かつ、第一スライダは第一掛合部を捕捉すると共にスライドフリーとされるようになっていることを特徴とする可動体の動作装置。
【請求項２】
可動体に常時作用されるこの可動体をその往動終了位置に往動させる向きの力によって、可動体の往動前位置において第二スライダのスライドロックの解除をしたときに、可動体の往動がなされるようになっていることを特徴とする請求項１記載の可動体の動作装置。
【請求項３】
第一スライダ及び第二スライダは、スライダ主体とこのスライダ主体に回動可能に組み付けられた回動体とを備えており、
第一スライダの回動体は、その回動軸よりも可動体の往動先側に摺接部を備えていると共に、この回動軸と摺接部との間に第一掛合部の受入凹部を備えており、
第二スライダの回動体は、その回動軸よりも可動体の復動先側に、摺接部を備えていると共に、この回動軸と摺接部との間に第二掛合部の受入凹部を備えており、
可動体及び固定体の一方側には、これら摺接部の摺接レール部が形成されており、
この摺接レール部における可動体の往動先側に位置されるレール端の側方に第一スライドロック部が形成され、かつ、この摺接レール部における可動体の復動先側に位置されるレール端の側方に第二スライドロック部が形成されており、
スライドロック部への摺接部の入り込みにより回動体が傾動され受入凹部から掛合部が抜け出し可能となるようにしてあることを特徴とする請求項１又は請求項２記載の可動体の動作装置。
【請求項４】
第二スライダの回動体が、可動体の復動先側において軸支されると共に、この軸支位置よりも可動体の往動先側に頂部を有し、かつ、この頂部を挟んだ可動体の往動先側の壁部を受入凹部の一方壁部とした爪体と、
この爪体を常時突き出し位置に付勢する付勢手段とを備えていることを特徴とする請求項３記載の可動体の動作装置。
【請求項５】
可動体の往動前位置において、第一スライダと第二スライダとの間に間隔が形成されるようにしてあることを特徴とする請求項３又は請求項４記載の可動体の動作装置。
【請求項６】
少なくとも、可動体の往動の最後及び復動の最後の双方又はいずれか一方において、この可動体の移動に制動を付与する制動手段を備えていることを特徴とする請求項１〜請求項５のいずれか１項に記載の可動体の動作装置。
【請求項７】
制動手段が、ピストンとシリンダとこのピストンを常時シリンダ内から押し出す向きに付勢する付勢手段とを備えると共に、シリンダ内方へのピストンの進入に制動を付与するように構成されたダンパ体によって構成されており、
少なくとも可動体の往動の最後と復動の最後とにおいてシリンダ内方へピストンが進入されるようになっていることを特徴とする請求項６記載の可動体の動作装置。
【請求項８】
ダンパ体を構成するピストン及びシリンダのいずれか一方側が組スライダ側に支持されていると共に、
可動体側にこの可動体の往動の過程において前記ピストン及びシリンダの他方側に押し当たるプッシャー体が備えられていることを特徴とする請求項７記載の可動体の動作装置。
【請求項９】
ダンパ体を構成するピストン及びシリンダのいずれか一方側が組スライダ側に支持されていると共に、
固定体側にこの可動体の復動の過程において前記ピストン及びシリンダの他方に押し付けられる壁体が備えられていることを特徴とする請求項７記載の可動体の動作装置。
【請求項１０】
固定体に、可動体に形成された被掛合部にこの可動体の往動前位置において掛合する掛合部を備えさせていると共に、この掛合の掛合解除手段を備えていることを特徴とする請求項１〜請求項９のいずれか１項に記載の可動体の動作装置。
【請求項１１】
可動体の移動方向に交叉する向きにおいて間隔を開けて少なくとも二箇所に被掛合部が設けられ、固定体にこれに対応する掛合部が備えられていることを特徴とする請求項１０記載の可動体の動作装置。
【請求項１２】
掛合解除手段と第二スライダのスライドロックの解除手段とが連係されており、可動体の被掛合部への固定体の掛合部の掛合が解かれると同時に第二スライダのスライドロックが解かれるようになっていることを特徴とする請求項１０又は請求項１１に記載の可動体の動作装置。
【請求項１３】
請求項１〜請求項１２のいずれか１項に記載の動作装置を構成する可動体を、固定体となる本体の開口を往動前位置で塞ぐリッドとしてなるリッド装置。
【請求項１４】
可動体又は固定体に設けられ、前記可動体の移動により互いに相対移動する第一部材及び第二部材と、
一端部が前記第一部材に連結され、他端部が前記第二部材に連結されて、該第一部材と第二部材の相対移動で付勢力が蓄積される付勢手段と、
前記可動体の移動により前記第一部材を移動させて、前記付勢手段に付勢力を蓄積させた後第一部材をロックし、前記第二部材のロックを解除し、該付勢手段の復元力によって、第二部材を移動させ、該第二部材を介して可動体を移動させる動力伝達手段と、
を有することを特徴とする可動体の動作装置。
【請求項１５】
可動体又は固定体に設けられ、前記可動体の移動により互いに相対移動する第一部材及び第二部材と、
前記可動体又は固定体に設けられ、前記可動体の移動によって移動するスライダと、
一端部が前記第一部材に連結され、他端部が前記第二部材に連結されて、前記第一部材と第二部材の相対移動で付勢力が蓄積される付勢手段と、
前記第一部材の移動軌跡上に設けられ第一部材の移動を規制する第一ロック部と、
前記第一部材に設けられ、前記スライダと連結し、前記第二部材に対して相対移動した前記第一部材が前記第一ロック部で移動規制されると前記スライダとの連結状態が解除される第一連結部と、
前記第二部材に設けられ、前記第一連結部と前記スライダとの連結状態が解除されると該スライダと連結して、付勢手段の復元力によって、スライダを介して前記可動体を移動させる第二連結部と、
を有することを特徴とする可動体の動作装置。
【請求項１６】
前記付勢手段は、ばね材を巻き出して付勢力を蓄積する定荷重スプリングであって、前記第一部材に設けられたリンク部材に前記定荷重スプリングを取付け、定荷重スプリングの前記ばね材が前記第二部材に連結されていることを特徴とする請求項１４又は１５に記載の可動体の動作装置。
【請求項１７】
前記可動体の一方向への移動に対して前記第一部材と前記第二部材とが相対移動し、可動体の他方向への移動に対しては第一部材と第二部材は相対移動しないことを特徴とする請求項１４〜１６のいずれか１項に記載の可動体の動作装置。
【請求項１８】
前記第一連結部と前記スライダとの連結状態が解除されてから前記第二連結部が前記スライダと連結するまでの間に、所定の時間が設けられていることを特徴とする請求項１５〜１７のいずれか１項に記載の可動体の動作装置。
【請求項１９】
前記可動体又は固定側に設けられたラックと、
前記スライダに設けられ前記ラックと噛み合うギアを有するダンパユニットと、
が設けられたことを特徴とする請求項１５〜１８のいずれか１項に記載の可動体の動作装置。
【請求項２０】
前記ダンパユニットが、一方向に対して制動力を作用させる一方向ダンパと、双方向に対して制動力を作用させる双方向ダンパと、を備えていることを特徴とする請求項１９に記載の可動体の動作装置。
【請求項２１】
前記第一部材及び第二部材と、前記付勢手段と、前記動力伝達手段と、が収容部内に収容されユニット化されたことを特徴とする請求項１４〜２０のいずれか１項に記載の可動体の動作装置。
【請求項２２】
請求項１４〜請求項２１のいずれか１項に記載の可動体の動作装置を構成する可動体が、固定体に設けられた開口を塞ぐリッドであることを特徴とするリッド装置。
【発明の詳細な説明】
【技術分野】
【０００１】
この発明は、固定体と可動体とを、この可動体を往復動作可能とした状態で、かつ、所定の位置まで復動操作された後はこの可動体を復動終了位置（すなわちまた往動前位置）まで強制的（自動的）に復動させるように、組み合わせるために用いられる動作装置およびこれを利用したリッド装置に関する。
【背景技術】
【０００２】
取付体（固定体）に一端を回動可能に軸支されると共に小物入れ（可動体）に他端を引っ掛けられたアームを、ターンオーバースプリングによって、小物入れの閉止状態ではこれを閉止方向に付勢してこの閉止状態を維持し、小物入れが所定角度開放方向に回動されるとそこからはこれを開放方向に回動させ開放しきった位置ではこの開放状態を維持するように構成された小物入れがある。（特許文献１参照）【０００３】
しかるに、かかる小物入れにあっては、閉止位置にある小物入れを開き出させる（往動させる）には前記スプリングの付勢に抗してこれを前記所定角度まで回動させることを必要とするものであった。
【特許文献１】実公平７−１７５９１号公報
【発明の開示】
【発明が解決しようとする課題】
【０００４】
この発明が解決しようとする内容は、固定体と可動体とを、この可動体を往復動作可能とした状態で、往動時には何らの抵抗なくこれを往動前位置から往動終了位置まで往動させ、かつ、復動時には可動体を所定位置まで復動させた後は復動終了位置まで強制的に復動させるように、組み合わせることができるようにすることである。
【課題を解決するための手段】
【０００５】
前記課題を達成するために、本発明の第１態様にあっては、可動体の動作機構を、以下の（１）〜（８）の構成を備えたものとした。
（１）可動体及び固定体のいずれか一方側にスライド移動可能に備えられる組スライダであって、第一スライダと第二スライダと両スライダを常時近接させる向きに付勢連係させる付勢手段とを組み合わせてなる組スライダと、
（２）可動体及び固定体の他方側に備えられる第一掛合部及びこの第一掛合部との間に組スライダのスライド移動方向に間隔を開けて備えられた第二掛合部と、
（３）可動体及び固定体の一方側に備えられる第一スライドロック部及びこの第一スライドロック部との間に組スライダのスライド移動方向に間隔を開けて備えられた第二スライドロック部と、
（４）この第二スライドロック部による第二スライダのスライドロックの解除手段とを備えており、
（５）可動体の往動前位置において、第二スライダは第二掛合部をリリースした状態でスライドロックされ、かつ、第一スライダは第一掛合部を捕捉した状態でスライドフリーとされ、
（６）可動体の往動終了位置において、第一スライダは第一掛合部をリリースした状態で第一スライドロック部によってスライドロックされ、かつ、第二スライダは第二掛合部を捕捉した状態でスライドフリーとされ、
（７）往動終了位置にある可動体を所定位置まで復動操作させる過程で第一スライダから第二スライダが離隔されて付勢手段に蓄勢され、
（８）この後可動体が所定位置に至ったときに、第二スライダは第二掛合部をリリースすると共にスライドロックされ、かつ、第一スライダは第一掛合部を捕捉すると共にスライドフリーとされるようになっている。【０００６】
第一掛合部を捕捉した第一スライダは第二スライドロック部にスライドロックされた第二スライダからの離隔が付勢手段によって阻止されることから、可動体の往動前位置にある状態は維持される。この状態から解除手段により第二スライダのスライドロックを解くと可動体の往動が許容される。可動体が往動終了位置に至ると第一スライダは第一掛合部をリリースした状態でスライドロックされ、一方、第二スライダは第二掛合部を捕捉した状態でスライドフリーとなることから、往動終了位置にある可動体を復動させると所定位置までは第二スライダのみが復動され付勢手段に蓄勢がなされる。所定位置まで可動体が復動されると第二スライダは第二掛合部をリリースしてスライドロックされ、一方、第一スライダは第一掛合部を捕捉してスライドフリーとなることから、付勢手段の付勢により第一スライダは強制的に復動され、これにより可動体も強制的に往動前位置まで復動される。【０００７】
かかる動作装置において、本発明の第３態様では、以下の（１）〜（６）のより具体的な構成を取ることもある。
（１）第一スライダ及び第二スライダは、スライダ主体とこのスライダ主体に回動可能に組み付けられた回動体とを備えており、
（２）第一スライダの回動体は、その回動軸よりも可動体の往動先側に摺接部を備えていると共に、この回動軸と摺接部との間に第一掛合部の受入凹部を備えており、
（３）第二スライダの回動体は、その回動軸よりも可動体の復動先側に、摺接部を備えていると共に、この回動軸と摺接部との間に第二掛合部の受入凹部を備えており、
（４）可動体及び固定体の一方側には、これら摺接部の摺接レール部が形成されており、
（５）この摺接レール部における可動体の往動先側に位置されるレール端の側方に第一スライドロック部が形成され、かつ、この摺接レール部における可動体の復動先側に位置されるレール端の側方に第二スライドロック部が形成されており、
（６）スライドロック部への摺接部の入り込みにより回動体が傾動され受入凹部から掛合部が抜け出し可能となるようにしておく。【０００８】
本発明の第２態様では、前記可動体に常時作用されるこの可動体をその往動終了位置に往動させる向きの力によって、可動体の往動前位置において第二スライダのスライドロックの解除をしたときに、可動体の往動がなされるようにしておけば、往動前位置に可動体がある状態から第二スライダのスライドロックを解くことにより、可動体を往動終了位置まで外力を作用させることなく往動させることができる。【０００９】
本発明の第４態様では、前記第二スライダの回動体が、可動体の復動先側において軸支されると共に、この軸支位置よりも可動体の往動先側に頂部を有し、かつ、この頂部を挟んだ可動体の往動先側の壁部を受入凹部の一方壁部とした爪体と、この爪体を常時突き出し位置に付勢する付勢手段とを備えるようにしておくこともある。【００１０】
本発明の第５態様では、可動体を往動させきる過程において、第一スライダが第一スライドロック部にスライドロックされた位置でこの第一スライダから第一掛合部が前方に抜け出し可動体はさらに往動され、第二掛合部は爪体の頂部を挟んだ可動体の復動先側の壁部に突き当てられる。爪体の軸支位置はこの復動先側にあるので、爪体はこの突き当たりによって下方に付勢に抗して一旦引き込み回動され、この後この爪体の頂部を第二掛合部が通過した位置で付勢により再び上方に突き出し回動されて受入凹部内に第二掛合部を受け入れさせる。往動終了位置にある可動体を復動操作させるとこの爪体に第二掛合部が押し当てられることとなるが、この押し当たりによって爪体は引き込み回動されないようにすることができる。これにより、可動体の復動操作時にはこれに伴って第二スライダを連れ移動させて組スライダを構成する付勢手段に蓄勢をさせながらスライドロックされている第一スライダから第二スライダを離隔させることができる。【００１１】
前記可動体の往動前位置において、第一スライダと第二スライダとの間に間隔が形成されるようにしておけば、第二スライダのスライドロックを前記解除手段により解くと同時に第二スライダを第一スライダに組スライダを構成する付勢手段によって引き寄せて、第二スライダの摺接部が前記解除をなしたにもかかわらず第二スライドロック部に予期せず入り込んでしまうことがないようにすることができる。【００１２】
本発明の第６態様では、動作装置に、少なくとも、可動体の往動の最後及び復動の最後の双方又はいずれか一方において、この可動体の移動に制動を付与する制動手段を備えさせておけば、少なくとも、可動体の往動の最後及び復動の最後又はこれらのいずれか一方において可動体のスピードを減速させて衝撃音の発生などを抑止すると共に、その動作に高級感などを付与させることができる。【００１３】
本発明の第７態様では、この制動手段を、ピストンとシリンダとこのピストンを常時シリンダ内から押し出す向きに付勢する付勢手段とを備えると共に、シリンダ内方へのピストンの進入に制動を付与するように構成されたダンパ体によって構成させ、【００１４】
少なくとも可動体の往動の最後と復動の最後とにおいてシリンダ内方へピストンが進入されるようにしておくこともある。【００１５】
このようにした場合、可動体が往動前位置にある状態から解除手段の操作によりこの可動体の往動を許容させたときにはピストンに作用されるダンパ体の付勢手段の付勢力をこの可動体の往動のための力の一部として利用させることができると共に、可動体が往動終了位置にある状態からこの可動体の復動をなす場合には同様にピストンに作用されるダンパ体の付勢手段の付勢力をこの可動体の復動のための力の一部として利用させることができる。【００１６】
本発明の第８態様では、ダンパ体を構成するピストン及びシリンダのいずれか一方側を組スライダ側に支持させ、可動体側にこの可動体の往動の過程において前記ピストン及びシリンダの他方側に押し当たるプッシャー体を備えさせておけば、往動の最後においてピストンを進入させて可動体のスピードを減衰させることができる。【００１７】
本発明の第９態様では、ダンパ体を構成するピストン及びシリンダのいずれか一方側を組スライダ側に支持させ、固定体側にこの可動体の復動の過程において前記ピストン及びシリンダの他方に押し付けられる壁体を備えさせておけば、復動の最後においてピストンを進入させて可動体のスピードを減衰させることができる。【００１８】
本発明の第１０態様では、前記固定体に、可動体に形成された被掛合部にこの可動体の往動前位置において掛合する掛合部を備えさせると共に、この掛合の掛合解除手段を備えさせるようにしておけば、可動体の往動前位置にある状態を安定的に維持させることができる。【００１９】
本発明の第１１態様では、前記可動体の移動方向に交叉する向きにおいて間隔を開けて少なくとも二箇所に被掛合部を設けられ、固定体にこれに対応する掛合部を備えさせておけば、往動前位置にある可動体をその移動方向に交叉する方向において位置を異ならせた二箇所で固定体に対しガタやスキなどを生じないようにして保持させることができる。【００２０】
本発明の第１２態様では、前記掛合解除手段と第二スライダのスライドロックの解除手段とを連係させ、可動体の被掛合部への固定体の掛合部の掛合が解かれると同時に第二スライダのスライドロックが解かれるようにしておくこともある。【００２１】
本発明の第１３態様では、前記動作装置を構成する可動体を、固定体となる本体の開口を往動前位置で塞ぐリッドとしてリッド装置を構成すれば、往動前位置にリッドがある状態から第二スライダのスライドロックを解くことにより、リッドを往動終了位置まで外力を作用させることなく往動させることができる。また、往動終了位置から所定位置までリッドを復動操作させることにより、そこから先においては組スライダの動作によってリッドを往動前位置まで強制的に復動させることができる。さらに、前記制動手段により、少なくともこのリッドの往動の最後と復動の最後のスピードを減速させて衝撃音の発生などを抑止すると共にリッド装置の動作に高級感などを付与することができる。【００２２】
本発明の第１４態様は、可動体の動作装置において、可動体又は固定体に設けられ、前記可動体の移動により互いに相対移動する第一部材及び第二部材と、一端部が前記第一部材に連結され、他端部が前記第二部材に連結されて、該第一部材と第二部材の相対移動で付勢力が蓄積される付勢手段と、前記可動体の移動により前記第一部材を移動させて、前記付勢手段に付勢力を蓄積させた後第一部材をロックし、前記第二部材のロックを解除し、該付勢手段の復元力によって、第二部材を移動させ、該第二部材を介して可動体を移動させる動力伝達手段と、を有することを特徴とする。【００２３】
本発明の第１４態様では、可動体（又は固定体）に、該可動体の移動により互いに相対移動（近接又は離間）する第一部材及び第二部材を設け、動力伝達手段によって、可動体の移動により第一部材を移動させ（第二部材に対して第一部材を移動させ）、付勢手段に付勢力を蓄積する。付勢手段に付勢力が蓄積された後は第一部材をロックし、第二部材をロック解除して移動可能とする。このため、付勢力の復元力は第二部材に作用することとなるが、この第二部材を介して可動体を移動させるようにしている。【００２４】
これにより、可動体を移動させる際、可動体の移動開始位置から移動途中は第一部材を移動させ、付勢手段の付勢力に抗する方向への力が別途必要となるが（なお、可動体が下方へ向かって移動する場合は、可動体の自重も加わる）、移動終了位置近くでは、第二部材を移動可能とし、付勢手段の復元力によって、可動体を移動させるようにすることで、可動体の手動操作の荷重が低減され（低荷重区間）、もしくは可動体の操作荷重を越える付勢手段の復元力により手動操作の荷重が不要とされ（ゼロ荷重区間）、可動体を自動的に引き込むことが可能となる。【００２５】
本発明の第１５態様は、可動体の動作装置において、可動体又は固定体に設けられ、前記可動体の移動により互いに相対移動する第一部材及び第二部材と、前記可動体又は固定体に設けられ、前記可動体の移動によって移動するスライダと、一端部が前記第一部材に連結され、他端部が前記第二部材に連結されて、前記第一部材と第二部材の相対移動で付勢力が蓄積される付勢手段と、前記第一部材の移動軌跡上に設けられ第一部材の移動を規制する第一ロック部と、前記第一部材に設けられ、前記スライダと連結し、前記第二部材に対して相対移動した前記第一部材が前記第一ロック部で移動規制されると前記スライダとの連結状態が解除される第一連結部と、前記第二部材に設けられ、前記第一連結部と前記スライダとの連結状態が解除されると該スライダと連結して、付勢手段の復元力によって、スライダを介して前記可動体を移動させる第二連結部と、を有することを特徴とする。【００２６】
本発明の第１５態様では、可動体（又は固定体）に、可動体の移動によって移動するスライダを設けている。このスライダには、可動体の移動により互いに相対移動（近接又は離間）する第一部材及び第二部材を連結可能とし、この第一部材と第二部材の相対移動によって、付勢手段に付勢力を蓄積する。【００２７】
第一部材の移動軌跡上には、第一部材の移動を規制する第一ロック部を設けている。また、第一部材にはスライダと連結可能な第一連結部を設けており、第一部材が第一ロック部で移動規制されるとスライダとの連結状態が解除されるようになっている。【００２８】
一方、第二部材の移動軌跡上には、第二部材の移動を規制する第二ロック部を設けている。また、第二部材にはスライダと連結可能な第二連結部を設けており、第一連結部とスライダとの連結状態が解除されると該スライダと連結し、付勢手段の復元力によって、スライダを介して可動体を移動させる。【００２９】
つまり、スライダと第一部材及び第二部材との間で動力の伝達経路が切り替えられることとなり、第一連結部がスライダに連結された状態では第一連結部を介して第一部材を移動可能とし、第二部材に対して第一部材を移動させる。これにより、付勢手段には付勢力が蓄積される。【００３０】
そして、第一部材が第一ロック部に到達すると、第一部材は移動規制され、第一連結部とスライダとの連結状態が解除される。次に、第二連結部がスライダと連結して、第二部材が移動可能となるが、第二部材には付勢手段の復元力が作用し、これによって第二部材が移動することとなる。この第二部材の移動により、スライダを介して可動体が移動する。【００３１】
本発明の第１６態様は、本発明の第１４又は１５態様における可動体の動作装置において、前記付勢手段は、ばね材を巻き出して付勢力を蓄積する定荷重スプリングであって、前記第一部材に設けられたリンク部材に前記定荷重スプリングを取付け、定荷重スプリングの前記ばね材が前記第二部材に連結されていることを特徴とする。【００３２】
本発明の第１６態様では、第一部材にリンク部材を設け、該リンク部材に定荷重スプリングを取付けている。この定荷重スプリングのばね材を第二部材に連結することで、第二部材と第一部材を相対移動させると、付勢手段には付勢力が蓄積される。【００３３】
本発明の第１７態様は、本発明の第１４〜１６態様のいずれか１における可動体の動作装置において、前記可動体の一方向への移動に対して前記第一部材と前記第二部材とが相対移動し、可動体の他方向への移動に対しては第一部材と第二部材は相対移動しないことを特徴とする。【００３４】
本発明の第１７態様では、可動体の他方向への移動については、付勢手段には付勢力は蓄積されないため、可動体の他方向への移動時には、付勢手段の付勢力に抗する方向への力は不要となる。【００３５】
本発明の第１８態様は、本発明の第１５〜１７態様のいずれか１における可動体の動作装置において、前記第一連結部と前記スライダとの連結状態が解除されてから前記第二連結部が前記スライダと連結するまでの間に、所定の距離が設けられていることを特徴とする。【００３６】
本発明の第１８態様では、第一連結部とスライダとが連結された状態で第一部材が第二部材に対して移動し、付勢手段に付勢力が蓄積される。第一連結部とスライダとの連結状態が解除されてから第二連結部がスライダと連結することで、可動体の手動操作区間から低荷重区間もしくはゼロ荷重区間に切り替えられることとなるが、この切り替え時に所定の時間を設けることで、可動体への操作応力が急に低減し可動体が急に移動してしまうという感覚を低減している。【００３７】
本発明の第１９態様は、本発明の第１５〜１８態様のいずれか１における可動体の動作装置において、前記可動体又は固定側に設けられたラックと、前記スライダに設けられ前記ラックと噛み合うギアを有するダンパユニットと、が設けられたことを特徴とする。【００３８】
本発明の第１９態様の発明では、可動体又は固定側にラックを設け、スライダに該ラックと噛み合うギアを有するダンパユニットを設けることで、可動体の移動時にラック及びギアを介して、可動体に減衰効果を作用させることができる。可動体を静かに移動させることができる。【００３９】
本発明の第２０態様は、本発明の第１９態様における可動体の動作装置において、前記ダンパユニットが、一方向に対して制動力を作用させる一方向ダンパと、双方向に対して制動力を作用させる双方向ダンパと、を備えていることを特徴とする。【００４０】
本発明の第２０態様では、一方向に対して制動力を作用させる一方向ダンパと、双方向に対して制動力を作用させる双方向ダンパと、を備えることで、可動体の一方向への移動では、一方向ダンパ及び双方向ダンパによる減衰効果を得ることができ、可動体の他方向への移動では、双方向ダンパのみの減衰効果を得ることができる。【００４１】
本発明の第２１態様は、本発明の第１４〜２０態様のいずれか１における可動体の動作装置において、前記第一部材及び第二部材と、前記付勢手段と、前記動力伝達手段と、が収容ケース内に収容されユニット化されたことを特徴とする。【００４２】
本発明の第２１態様では、第一部材及び第二部材と、付勢手段と、動力伝達手段と、をユニット化することで、可動体又は固定体への取付けが容易になる。【００４３】
本発明の第２２態様は、リッド装置において、本発明の第１４〜２１態様のいずれかにおける可動体の動作装置を構成する可動体が、固定体に設けられた開口を塞ぐリッドであることを特徴とする。【００４４】
本発明の第２２態様では、可動体を、固定体に設けられた開口を塞ぐリッドとすることで、開放（往動）されたリッドを閉止（複動）させるときは、リッドの移動開始位置から移動途中まで第一部材が移動し、該第一部材の第二部材に対する移動によって、付勢手段には付勢力が蓄積される。そして、第一部材に変えて第二部材を移動可能となると、付勢手段の復元力によってこの第二部材が移動し、該第二部材を介してリッドが閉止方向へ引き込まれる。【００４５】
つまり、一定の引き込み力でリッドを閉止させることができ、リッドの手動操作の荷重が低減され（低荷重区間）、もしくはリッドの操作荷重を越える付勢手段の復元力により手動操作の荷重が不要とされ（ゼロ荷重区間）、リッドを自動的に引き込むことが可能となる。つまり、特にリッドが下方へ向かって開放される場合、リッドの自重が作用することとなるが、付勢手段の付勢力によって、その分の荷重を相殺することができる。また、リッドの移動速度を減速させ衝撃音の発生などを抑制すると共に、リッド装置の動作に高級感などを付与することができる。
【発明の効果】
【００４６】
この発明にかかる可動体の動作装置によれば、固定体と可動体とを、この可動体を往復動作可能とした状態で、往動時には何らの抵抗なくこれを往動前位置から往動終了位置まで往動させ、かつ、復動時には可動体を所定位置まで復動させた後は復動終了位置まで強制的に復動させるように、組み合わせることができる。また、この発明にかかるリッド装置によれば、リッドと本体とを、リッドの往動時には何らの抵抗なくリッドを往動前位置から往動終了位置まで往動させ、かつ、復動時にはリッドを所定位置まで復動させた後は復動終了位置まで強制的にリッドが復動されるようにすることができる。
【図面の簡単な説明】
【００４７】
【図１】第１実施形態のリッド装置の側面構成図（往動前位置）
【図２】第１実施形態のリッド装置の側面構成図
【図３】第１実施形態のリッド装置の側面構成図（往動終了位置）
【図４】第１実施形態のケース構成体の一方を外した状態における動作装置の斜視構成図（往動前位置）
【図５】第１実施形態の動作装置の要部破断構成図（往動前位置）
【図６】第１実施形態の動作装置の要部破断構成図（第二スライダのスライドロック解除直後）
【図７】第１実施形態の動作装置の要部破断構成図（第一スライダと第二スライダとの間の間隔がなくなった状態）
【図８】第１実施形態の動作装置の要部破断構成図（第一スライダのスライドロック直後）
【図９】第１実施形態のケース構成体の一方を外した状態における動作装置の斜視構成図（往動終了位置に至る直前）
【図１０】第１実施形態のケース構成体の一方を外した状態における動作装置の斜視構成図（往動終了位置に至る直前）
【図１１】第１実施形態の動作装置の要部破断構成図（往動終了位置）
【図１２】第１実施形態の動作装置の要部破断構成図（第一スライダのスライドロック解除直前で第二スライダのスライドロック直前）
【図１３】第１実施形態の動作装置の要部破断構成図（第一スライダのスライドロック解除直後で第二スライダのスライドロック直後）
【図１４】第１実施形態の動作装置の斜視構成図
【図１５】第１実施形態の動作装置の側面構成図
【図１６】第１実施形態の動作装置の側面構成図
【図１７】第１実施形態の動作装置の分解斜視構成図
【図１８】第１実施形態の動作装置のアームの分解斜視構成図
【図１９】第１実施形態の動作装置のケースの分解斜視構成図
【図２０】第１実施形態の動作装置の第二スライダの分解斜視構成図
【図２１】第１実施形態の動作装置の第一スライダの分解斜視構成図
【図２２】第１実施形態の動作装置の制動手段の配置などを変更した例の要部破断構成図（往動前位置）
【図２３】第１実施形態の動作装置の制動手段の配置などを変更した例の要部破断構成図
【図２４】第１実施形態の動作装置の制動手段の配置などを変更した例の要部破断構成図（往動終了位置）
【図２５】第１実施形態の動作装置のアームおよび制動手段の斜視構成図
【図２６】第１実施形態の動作装置の要部断面構成図
【図２７】第１実施形態のリッド装置の変更例を示した要部構成図
【図２８】第１実施形態のリッド装置の他の変更例を示した斜視構成図
【図２９】第１実施形態のリッド装置の他の変更例を示した側面構成図
【図３０】第１実施形態のリッド装置の他の変更例を示した要部断面構成図
【図３１】第１実施形態のリッド装置の他の変更例を示した側面構成図
【図３２】第１実施形態のリッド装置の他の変更例を示した要部断面構成図
【図３３】第１実施形態のリッド装置の他の変更例を示した平面構成図
【図３４】第１実施形態のリッド装置の他の変更例を示した要部斜視構成図
【図３５】第１実施形態のリッド装置の他の変更例を示した要部斜視構成図
【図３６】第１実施形態のリッド装置の他の変更例を示した要部断面構成図
【図３７】第２実施形態のリッド装置を示した斜視図
【図３８】第２実施形態のリッド装置のアームを示した斜視図
【図３９】第２実施形態の動作装置を示した斜視図
【図４０】第２実施形態の動作装置の動力伝達スライダを示した斜視図
【図４１】図３９の４１−４１断面図
【図４２】第２実施形態の動作装置のエネルギ蓄積側スライダを示した斜視図
【図４３】（Ａ）、（Ｂ）は、第２実施形態の動作装置のエネルギ蓄積側スライダのロック解除方法を示した動作図
【図４４】第２実施形態の動作装置の引込側スライダを示した斜視図
【図４５】第２実施形態のリッドが開放された状態を示した側面図
【図４６】第２実施形態のリッドを閉止している途中を示した側面図
【図４７】第２実施形態のリッドを閉止している途中を示した側面図
【図４８】第２実施形態のリッドを閉止された状態を示した側面図
【図４９】第２実施形態のリッドを開放させる状態を示した側面図
【図５０】第２実施形態のリッドが開放される途中を示した側面図
【図５１】第２実施形態のリッドが開放される途中を示した側面図
【図５２】第２実施形態のリッドが開放される途中を示した側面図
【図５３】第２実施形態の動作装置の動力伝達ユニットを示した模式図であり、（Ａ）は図４５に相当し、（Ｂ）は図４６、（Ｃ）は図４７、（Ｄ）は図４８、（Ｅ）は図５０に相当する。
【符号の説明】
【００４８】
Ｍ        可動体
Ｐ        固定体
Ｇ        動作装置
ｘ        スライド移動方向
４        組スライダ（動力伝達手段）
４０      第一スライダ
４１      第二スライダ
４２      付勢手段
５０      第一掛合部
５１      第二掛合部
６０      第一スライドロック部
６１      第二スライドロック部
７        解除手段
１０２    本体（固定体）
１０４    開口
１０６    リッド（可動体）
１１８    収容部
１２０    蓋部（収容部）
１２２    ロータリダンパユニット（ダンパユニット）
１２６    動力伝達ユニット
１２８    動力伝達スライダ（スライダ、動力伝達手段）
１３０    エネルギ蓄積側スライダ（第一部材）
１３２    引込側スライダ（第二部材）
１３８    １ウェイギア（一方向ダンパ、ダンパユニット）
１４０    ロータリダンパ（一方向ダンパ、ダンパユニット）
１４４    ラック
１４６Ａ  ギア（双方向ダンパ、ダンパユニット）
１４６    ロータリダンパ（双方向ダンパ、ダンパユニット）
１５０    ラック
１５６    リンク部材
１７６    連結部
１７８    凹部（第一連結部）
１８２    ロック部（第一ロック部）
２１６    凹部（第二連結部）
２２１    定荷重スプリング（ばね材、付勢手段）
２２２    ロック部（第二ロック部）
【発明を実施するための最良の形態】
【００４９】
以下、この発明を実施するための最良の形態について説明する。
＜第１実施形態＞
図１〜図２７に基づいて、本発明の第１実施の形態について説明する。
なお、ここで図１〜図３は、この発明にかかる動作装置Ｇを備えて構成されたリッド装置を、このリッド装置を構成する本体Ｐａの側板Ｐｃの一方の側から見た状態として示しており、図１は可動体Ｍを構成するリッドＭａが往動前位置にある状態を、図３はリッドＭａが往動終了位置にある状態を、図２は往動又は復動の途中にある状態を、それぞれ示している。【００５０】
図４〜図１３は、ユニット化されたかかる動作装置Ｇの主要部をそれぞれ示しており、図４及び図５はリッドＭａが往動前位置にある状態を、図１１はリッドＭａが往動終了位置にある状態をそれぞれ示している。リッドＭａの往動時は動作装置Ｇは図４及び図５→図６→図７→図８→図９及び図１０→図１１の順で動作する。リッドＭａの復動時は動作装置Ｇは図１１→図１２→図１３→図４及び図５の順で動作する。【００５１】
図１４はかかるユニット化された動作装置Ｇを制動手段８が備えられた側から見て、また、図１５及び図１６は、この動作装置Ｇを図１４の側と逆側から見て示している。図１５では解除手段７が第二スライダ４１のスライドロックを解除していない様子を、図１６ではこれを解除した様子を、それぞれ示している。【００５２】
図１７は、かかる動作装置Ｇの主要構成部品を分離させた状態として、図１８はこれら部品の中のアーム２を、図１９はこれら部品の中のケース１と保持手段３および解除手段７を、図２０はこれら部品の中の第二スライダ４１を、図２１はこれら部品の中の第一スライダ４０および制動手段８を、それぞれ分解した状態で示している。【００５３】
また、図２２〜図２６は、図１〜図２１に示される例における制動手段８の設置位置を主として変更した例を示しており、図２２はリッドＭａが往動前位置にあるときの動作装置Ｇの様子を、図２４はリッドＭａが往動終了位置にあるときの動作装置Ｇの様子を、図２３はリッドＭａが往動又は復動の途中にあるときの動作装置Ｇの様子をそれぞれ示している。また、図２５はこの例を構成するアーム２を、図２６はこの例の要部をアーム２の移動方向に交叉する向きにおいて断面にして、それぞれ示している。【００５４】
また、図２８〜図３６は、図２２〜図２６に示される動作装置を用いてリッド装置を構成させた例を示しており、図２８はリッドＭａが往動終了位置にあるときの様子を、図２９は、リッドＭａが往動前位置にあるときに本体Ｐａの一方の側板Ｐｃの側からこれを見て、図３１は、リッドＭａが往動開始位置にあるときに本体Ｐａの他方の側板Ｐｃの側からこれを見て、図３０は図２９の要部を断面にして、図３２は図３１の要部を断面にしてそれぞれ示している。また、図３３は、かかるリッド装置を上方から視て、また、図３６は、図３３の要部を断面にして示しており、さらに、図３４はリンケージロッドＰｎの一端側に備えられる掛合解除手段Ｆなどの様子を、図３５は図３４と反対の側の様子をそれぞれ示している。【００５５】
また、図２７は、図１〜図２１に示される例における保持手段３を設けなくても往動前位置にあるリッドＭａのこの状態を確実に維持できるようにした変更例の要部を示している。【００５６】
この実施の形態にかかる可動体Ｍの動作装置Ｇは、固定体Ｐと可動体Ｍとを、この可動体Ｍを往復動作可能とした状態で、かつ、所定の位置まで復動操作された後はこの可動体Ｍを復動終了位置（すなわちまた往動前位置）まで強制的（自動的）に復動させるように、組み合わせるために用いられるものである。【００５７】
図示の例は、かかる動作装置Ｇの典型的な利用例の一つとして、この動作装置Ｇによって固定体Ｐとなる本体Ｐａの開口Ｐｂを往動前位置で塞ぐ可動体ＭとしてのリッドＭａとこの本体Ｐａとを組み合わせてなるリッド装置を示している。（図１〜図３）【００５８】
この例では、動作装置Ｇは、前記開口Ｐｂを形成する本体Ｐａの側板Ｐｃの外面側に取り付けられている。リッドＭａは、この本体Ｐａの開口Ｐｂを起立位置で塞ぎ、この位置からの伏倒によって開放するようにその下端において本体Ｐａに回動可能に組み付けられている。この例では、リッドＭａの起立位置が可動体Ｍの往動前位置（図１／すなわちまた復動終了位置）となり、リッドＭａが伏倒しきった位置が可動体Ｍの往動終了位置（図３／すなわちまた復動前位置）となる。動作装置Ｇは、扁平な箱状をなすと共に幅広の両面をそれぞれ略長方形状に構成させるケース１と、このケース１の長さ方向に沿ってスライド移動可能にこのケース１に組み合わされた棒状のアーム２とを有している。この例では、アーム２が斜め下方に向けてスライド往動されるように、このアーム２の一端（以下、前端２０という。）をリッドＭａの下端と上端との間においてこのリッドＭａの回動軸Ｍｂと平行をなす回動軸２０ａをもって回動可能に組み付けると共に、ケース１の上部１３側を本体Ｐａの側板ＰｃにリッドＭａの回動軸Ｍｂと平行をなす回動軸１０をもって回動可能に組み付けさせている。【００５９】
リッドＭａが往動前位置にあるとき、アーム２の前端２０側のケース１の下部１４からの突き出し寸法は最小とされ、また、このリッドＭａの往動前位置にある状態は、後述する組スライダ４の第二スライダ４１のスライドロックによって維持できるようになっている。【００６０】
図１〜図２１に示される例では、後述する保持手段３によって、リッドＭａが往動前位置にあるときのアーム２の往動がこの保持手段３によっても阻止されるようになっている。図１〜図２１に示される例では、本体Ｐａの上部に、本体Ｐａの内方に押し込み操作可能なボタン体Ｐｄと、このボタン体Ｐｄの内端部Ｐｅに下端Ｐｇを付勢により常時押し当てるように上端Ｐｈを本体Ｐａに回動可能に組み付けさせたレバー体Ｐｆとが備えられており、このレバー体Ｐｆによってボタン体Ｐｄは前進位置に付勢位置づけられるようになっている。この例では、リッドＭａが往動前位置にあるときに、この付勢に抗してボタン体Ｐｄを押し込むと、レバー体Ｐｆが後方に回動され、このように回動されるレバー体Ｐｆが保持手段３に連係された後述する解除手段７の第一節部７０の上部７０ａを下方に付勢に抗して押し込みこの保持手段３によるアーム２の往動阻止が解かれると共に第二スライダ４１のスライドロックが解かれるようになっている。すなわち、図示の例では、可動体Ｍを構成するアーム２が往動前位置にあるときに可動体Ｍの往動を阻止するように可動体Ｍ側に掛合されると共に、第二スライダ４１のスライドロックの解除手段７に連動してこのスライドロックが解除されたときに可動体Ｍへの掛合を解く保持手段３が備えられている。【００６１】
この保持手段３は、アーム２の後端２１側の上部に形成された突部２２に第一節部７０が前記のように押し込まれる前の位置で前方から後端３０ａを掛合させる舌片体３０として構成されている。この舌片体３０は第一節部７０の上部７０ａ後端にこの上部７０ａの上面との間になす角度を狭める向きへの回動可能に組み付けられている。この舌片体３０はまたねじりコイルバネ３１によって前記角度を広げる向きへの付勢力を常時蒙っており、前記のように第一節部７０が付勢に抗して押し込まれない限りアーム２の突部２２に後端３０ａを掛合させる位置に位置づけられるようになっている。これにより、リッドＭａを復動させたときに、舌片体３０に前方からアーム２の突部２２が押し当たると舌片体３０は前記付勢に抗して上方に回動され、その後端３０ａより後方にこの突部２２が抜け出した位置で再び下方に付勢回動され、リッドＭａの復動終了位置つまり往動前位置において再びアーム２の突部２２に舌片体３０が前記のように掛合されるようになっている。（図４、図５）【００６２】
図２７に示されるように、本体Ｐａの上部にリッドＭａの上端に形成させた被掛合部ＭｃにこのリッドＭａが往動前位置にあるときに掛合される爪体Ｐｊを回動可能に備えさせると共に、図示しない付勢手段によってこの爪体Ｐｊをかかる被掛合部Ｍｃに掛合する位置に付勢位置づけるようにし、また、前記レバー体Ｐｆにボタン体Ｐｄが押し込まれたときにこの爪体Ｐｊの一部に引っかかってこの爪体Ｐｊを前記付勢に抗する向きに移動させる腕部Ｐｉを設けさせておくようにすれば、この爪体ＰｊのリッドＭａ側への掛合によってリッドＭａが往動前位置にある状態を安定的に維持させることができる。このようにした場合には、前記アーム２自体にリッドＭａの往動前位置における往動を阻止するように掛合される前記のような保持手段３を備えさせる必要はない。【００６３】
本体Ｐａの左右側板Ｐｃ、Ｐｃにそれぞれ、動作装置Ｇを備えさせ、それぞれの動作装置Ｇのアーム２によってリッドＭａを左右二箇所で支持するようにした場合には、左右の前記レバー体Ｐｆを本体Ｐａの左右方向に長く延びる連係ロッド（その端部を図１及び図２７において符号Ｐｋで示す。）で連結させておくことにより、左右いずれかにおいてのみボタン体Ｐｄを備えさせておけば足りるようにすることができる。【００６４】
このように構成されたリッド装置においては、可動体Ｍを構成するリッドＭａにはその自重により往動終了位置に往動させる向きの力が常時作用される。可動体Ｍを往動させる向きの力は、バネなどによっても可動体Ｍに作用させることができる。これにより、かかるリッド装置においては、往動前位置にリッドＭａがある状態から後述する第二スライダ４１のスライドロックを解くことにより、リッドＭａを往動終了位置まで外力を作用させることなく往動させることができる。また、往動終了位置から所定位置までリッドＭａを復動操作させることにより、そこから先においては後述する組スライダ４の動作によってリッドＭａを往動前位置まで強制的に復動させることができる。さらに、後述する制動手段８により、少なくともこのリッドＭａの往動の最後と復動の最後のスピードを減速させて衝撃音などの発生を抑止すると共にリッド装置の動作に高級感などを付与することができる。【００６５】
図示の例では、リッドＭａはその下端の回動軸Ｍｂを中心に回動され、アーム２の前端２０とリッドＭａとを組み付け合わせる回動軸２０ａはこのリッドＭａの回転中心を中心とした仮想の円の円弧に沿って移動されることから、この移動を許容するために、ケース１と本体Ｐａとは前記のように回動軸１０をもって回動可能に組み合わされている。図示の例とは別に、アーム２をかかる仮想の円の円弧に沿うようにスライド移動させるようにしておけば、ケース１を本体Ｐａに対して移動が生じないように組み付けさせておくことができる。【００６６】
動作装置Ｇは、ユニット化されており、典型的には、そのケース１を前記本体Ｐａなどに、アーム２を前記リッドＭａなどに取り付けるだけで、このリッドＭａなどが前記のような動作をするようにさせることができる。【００６７】
かかる動作装置Ｇは、次の（１）〜（７）の要素を含んで構成される。
（１）組スライダ４（第一スライダ４０、第二スライダ４１、付勢手段４２を含む。）
（２）第一掛合部５０（第一スライダ４０に捕捉される。）
（３）第二掛合部５１（第二スライダ４１に捕捉される。）
（４）第一スライドロック部６０（第一スライダ４０をスライドロック、つまりスライド移動しないようにする。）
（５）第二スライドロック部６１（第二スライダ４１をスライドロックする。）
（６）解除手段７（第二スライダ４１の第二スライドロック部６１によるスライドロックを解除する。）
（７）制動手段８【００６８】
図示の例では、リッドＭａに前端を前記のように組み合わされてリッドＭａと共に可動体Ｍを構成させるアーム２に前記第一及び第二掛合部５０、５１が備えられている。また、本体Ｐａに前記のように組み合わされるケース１内に組スライダ４が納められると共に、このケース１内に第一及び第二スライドロック部６０、６１が形成されている。図示の例では、かかるケース１は、左右のケース構成体１１、１１を組み合わせることで構成されるようになっている。左右のケース構成体１１、１１にはそれぞれ、その幅方向中程の位置にケース１の長さ方向に沿って延びる直線リブ状の摺接レール部１２が設けられている。この摺接レール部１２を挟んだ上側の空間は、ケース１の上部１３と下部１４とにおいてそれぞれ外方に開放されており、アーム２はリッドＭａの往動前位置においてこの開放箇所からそれぞれ前端２０と後端２１をやや突き出させるようにしてケース１の上側の空間にケース１の長さ方向にスライド移動可能に保持されている。【００６９】
組スライダ４は、可動体Ｍ及び固定体Ｐのいずれか一方側にスライド移動可能に備えられる。図示の例では、可動体Ｍの一部を構成するアーム２に第一及び第二掛合部５０、５１が備えられていることから、固定体Ｐ側に組み付けられるケース１に組スライダ４がこのケース１の長さ方向にスライド移動可能に納められている。【００７０】
かかる組スライダ４は、第一スライダ４０と、第二スライダ４１と、この第一及び第二スライダ４０、４１を常時近接させる向きに付勢連係させる付勢手段４２とを組み合わせて構成されている。【００７１】
第一スライダ４０及び第二スライダ４１はいずれも、スライダ主体４０１、４１１とこのスライダ主体４０１、４１１に回動可能に組み付けられた回動体４０２、４１２とを備えている。スライダ主体４０１、４１１はそのスライド移動方向ｘに沿った両側部にそれぞれ前記摺接レール部１２の肉厚相当分の隙間を上下方向に開けるようにして形成された一対のリブ状突部４０１ａ、４０１ａ・４１１ａ、４１１ａを備えており、この一対のリブ状突部４０１ａ、４０１ａ・４１１ａ、４１１ａ間に摺接レール部１２を挟み込むようにしてこの摺接レール部１２に沿ったスライド移動可能にケース１に組み合わされている。また、回動体４０２、４１２は、このようにケース１に組み合わされたスライダ４０、４１における摺接レール部１２より上方に位置される箇所に組み合わされている。【００７２】
第一スライダ４０はアーム２の往動先側ｘｆに位置され、第二スライダ４１はアーム２の復動先側ｘｒに位置されている。そして、第一スライダ４０の回動体４０２の回動軸４０２ａはこの回動体４０２の後端つまり第二スライダ４１側に位置され、第二スライダ４１の回動体４１２の回動軸４１２ａはこの回動体４１２の前端つまり第一スライダ４０側に位置されている。【００７３】
また、両スライダ４０、４１はいずれも、摺接レール部１２の上面にスライダ４０、４１のスライド移動の過程において摺接し続ける摺接部４０２ｂ、４１２ｂを備えている。【００７４】
第一スライダ４０の回動体４０２は、その回動軸４０２ａよりもアーム２の往動先側ｘｆに摺接部４０２ｂを備えている。それと共に、この回動軸４０２ａと摺接部４０２ｂとの間に第一掛合部５０の受入凹部４０２ｃを備えている。図示の例では、この摺接部４０２ｂは、第一スライダ４０の回動体４０２の前端においてこの回動体４０２の左右両側部からそれぞれ突き出す円柱状突起として構成されている。また、第一掛合部５０の受入凹部４０２ｃは、この回動体４０２の上部側に溝口を位置させこの回動体４０２の左右方向に続き、かつ、回動体４０２の左右両側において溝端を外方に開放させた溝状をなすように構成されている。この第一掛合部５０の受入凹部４０２ｃの入り口４０２ｄ（溝口）はこの第一スライダ４０の回動体４０２の回動軸４０２ａおよび摺接部４０２ｂよりも摺接レール部１２からより離れた位置に位置されている。【００７５】
また、第二スライダ４１の回動体４１２も、その回動軸４１２ａよりも可動体Ｍの復動先側ｘｒに、摺接部４１２ｂを備えている。それと共に、この回動軸４１２ａと摺接部４１２ｂとの間に第二掛合部５１の受入凹部４１２ｃを備えている。図示の例では、この摺接部４１２ｂは、第二スライダ４１の回動体４１２の後端においてこの回動体４１２の左右両側部からそれぞれ突き出す円柱状突起として構成されている。また、第二掛合部５１の受入凹部４１２ｃは、この回動体４１２の上部側に溝口を位置させこの回動体４１２の左右方向に続き、かつ、回動体４１２の左右両側において溝端を外方に開放させた溝状をなすように構成されている。この第二掛合部５１の受入凹部４１２ｃの入り口４１２ｄ（溝口）はこの第二スライダ４１の回動体４１２の回動軸４１２ａおよび摺接部４１２ｂよりも摺接レール部１２からより離れた位置に位置されている。【００７６】
また、この第二スライダ４１の回動体４１２は、アーム２の復動先側ｘｒにおいて軸支されると共に、この軸支位置よりもアーム２の往動先側ｘｆに頂部４１２ｆを有し、かつ、この頂部４１２ｆを挟んだアーム２の往動先側ｘｆの壁部４１２ｇを受入凹部４１２ｃの一方壁部とした爪体４１２ｅと、この爪体４１２ｅを常時突き出し位置に付勢する付勢手段としてのねじりコイルバネ４１２ｈとを備えている。【００７７】
往動前位置にあったリッドＭａを往動させきると後述するように第一スライダ４０が第一スライドロック部６０にスライドロックされた位置でこの第一スライダ４０から第一掛合部５０が前方に抜け出しアーム２はさらに往動されると共に、第二スライダ４１に後方から第二掛合部５１が突き当てられる。この第二掛合部５１は爪体４１２ｅの頂部４１２ｆを挟んだアーム２の復動先側ｘｒの壁部に突き当てられる。（図８→図１０）爪体４１２ｅの軸支位置はこの復動先側ｘｒにあるので、爪体４１２ｅはこの突き当たりによって下方に前記ねじりコイルバネ４１２ｈの付勢に抗して一旦引き込み回動され、この後この爪体４１２ｅの頂部４１２ｆを第二掛合部５１が通過した位置で付勢により再び上方に突き出し回動されて受入凹部４１２ｃ内に第二掛合部５１を受け入れさせる。（図１０→図１１）往動終了位置にあるアーム２をリッドＭａの復動操作に伴って復動させるとこの爪体４１２ｅに第二掛合部５１が押し当てられることとなるが、受入凹部４１２ｃの内側にある爪体４１２ｅの壁部４１２ｇは第二掛合部５１の移動軌跡に直角に近く交わるように形成されており、この押し当たりによって爪体４１２ｅは引き込み回動されないようになっている。これにより、アーム２の復動操作時にはこれに伴って第二スライダ４１を連れ移動させて組スライダ４を構成する付勢手段４２に蓄勢をさせながらスライドロックされている第一スライダ４０から第二スライダ４１を離隔させることができるようになっている。（図１１→図１２）【００７８】
組スライダ４を構成する付勢手段４２は、図示の例では第二スライダ４１のスライダ主体４１１における摺接レール部１２の下方に位置される部分にドラム４２２をドラム軸を左右方向に配するように内蔵させた定荷重バネ４２１としてある。この定荷重バネ４２１はかかるドラム４２２に帯状をなすバネ材を巻き付けるようにして構成されており、この定荷重バネ４２１の外端４２３は第一スライダ４０のスライダ主体４０１における摺接レール部１２の下方に位置される部分に止着されている。【００７９】
リッドＭａと共に可動体Ｍを構成するアーム２は、図示の例では、その幅方向に沿った断面を下方に開放されたコ字状をなすように構成されている。第一及び第二スライダ４０、４１の回動体４０２、４１２はその上部側を常時このアーム２の内側に納めさせるようになっている。図示の例では、第一掛合部５０及びこの第一掛合部５０との間に組スライダ４のスライド移動方向ｘに間隔を開けて備えられた第二掛合部５１は、このアーム２の長さ方向に沿った一対の側板２３、２３間に亘る軸状をなすように構成されている。【００８０】
第一スライドロック部６０及びこの第一スライドロック部６０との間に組スライダ４のスライド移動方向ｘに間隔を開けて備えられた第二スライドロック部６１は、本体Ｐａと共に固定体Ｐを構成するケース１に形成されている。図示の例では、摺接レール部１２における可動体Ｍの往動先側ｘｆに位置されるレール前端１２ａの側方に第一スライドロック部６０が形成され、かつ、この摺接レール部１２における可動体Ｍの復動先側ｘｒに位置されるレール後端１２ｂの側方に第二スライドロック部６１が形成されている。具体的には、摺接レール部１２のレール前端１２ａの下方にはこのレール前端１２ａの下方に顎部６０ｂを形成させる回動体４０２の摺接部４０２ｂの前側導入凹部６０ａが形成されていると共に、摺接レール部１２のレール後端１２ｂの下方にはこのレール後端１２ｂの下方に顎部６１ｂを形成させる回動体４１２の摺接部４１２ｂの後側導入凹部６１ａが形成されている。【００８１】
そして、このように構成されるスライドロック部６０、６１に回動体４０２、４１２の摺接部４０２ｂ、４１２ｂが入り込むと回動体４０２、４１２が傾動されてその受入凹部４０２ｃ、４１２ｃから掛合部５０、５１が抜け出し可能となるようになっている。具体的には、第一及び第二スライダ４０、４１のいずれにおいても、回動体４０２、４１２はその摺接部４０２ｂ、４１２ｂを摺接レール部１２の上面に摺接させている状態においては受入凹部４０２ｃ、４１２ｃの入り口４０２ｄ、４１２ｄを上方に向け、受入凹部４０２ｃ、４１２ｃの両壁部をいずれも掛合部５０、５１の移動軌跡を跨ぐように位置させている。一方、回動体４０２、４１２の摺接部４０２ｂ、４１２ｂが摺接レール部１２のレール前端１２ａまたはレール後端１２ｂから外れてスライドロック部６０、６１に入り込むと回動体４０２、４１２はスライダ主体４０１、４１１との回動軸４０２、４１２を中心に回動し傾動される。図示の例では、第一スライダ４０は、その回動体４０２の摺接部４０２ｂを第一スライドロック部６０に入り込ませた状態においては回動軸４０２ａを中心に前傾し受入凹部４０２ｃの往動先側ｘｆに位置される壁部を前記移動軌跡から下方に外し出させる。（図８）また、第二スライダ４１は、その回動体４１２の摺接部４１２ｂを第二スライドロック部６１に入り込ませた状態においては回動軸４１２ａを中心に後傾し受入凹部４１２ｃの復動先側ｘｒに位置される壁部を前記移動軌跡から下方に外し出させる。（図１３）【００８２】
また、第二スライドロック部６１による第二スライダ４１のスライドロックは、解除手段７によって解除できるようになっている。アーム２の往動の過程で第二掛合部５１を受入凹部４１２ｃに受け入れてこれを捕捉した第二スライダ４１は、往動終了位置にあるアーム２を所定位置まで復動操作させると、回動体４１２の回動軸４１２ａよりも上方において第二掛合部５１を捕捉するようになっていることから、その摺接部４１２ｂを第二スライドロック部６１に入り込ませて傾動し第二掛合部５１をリリースしてスライドロック（第二スライドロック部６１に摺接部４１２ｂを引っ掛け続ける。）される。（図１３）このようにスライドロックされた第二スライダ４１と第一スライダ４０とは付勢手段４２により近接させられることから、このとき第一掛合部５０を捕捉しながら後述するようにスライドフリーとなっている第一スライダ４０の第二スライダ４１からの離間は阻止でき、アーム２の往動はなされない。かかる解除手段７は、この状態において、第二スライダ４１の回動体４１２の摺接部４１２ｂを第二スライドロック部６１から摺接レール部１２上に復帰させるものである。【００８３】
図示の例では、かかる解除手段７は、第一節部７０と、第二節部７１とからなるリンク体によって構成されている。第一節部７０はケース１の長さ方向に沿った上側の側端部上に位置される上部７０ａと、この上部７０ａの前端７０ｃに一体に連接されてケース１の幅広の一面側から下方に突き出す下部７０ｄとを有している。第一節部７０の上部７０ａの後端には前記舌片体３０が回動可能に組み合わされていると共に、この組み合わせ部７０ｂにおいて第一節部７０はケース１に回動可能に組み合わされている。第二節部７１は、ケース１に貫通状態に設けられた前記第二スライドロック部６１に連通する長穴１１ａに入り込む押し上げ突部７１ｂを後端側に有すると共に、前端側には第一節部７０の下端に形成された連係軸７０ｅを摺動可能に納める長穴７１ｃを備えている。第二節部７１はその中間においてケース１に回動可能に組み付けられていると共に、この組み付け箇所に備えられたねじりコイルバネ７１ａによって前記第二スライドロック部６１に連通する長穴１１ａの下端に前記押し上げ突部７１ｂを位置させるように付勢されている。また、この付勢力により、第一節部７０は上部７０ａの前端７０ｃ側を持ち上げさせた姿勢をとらされるようになっている。前記ボタン体Ｐｄを押し込むとレバー体Ｐｆの下端Ｐｇが第一節部７０の上部７０ａの前端７０ｃに当たりこれを下方に押し込む。この押し込みにより第一節部７０は下部７０ｄの下端を後方に移動させるように回動され、（図１５→図１６）このように第一節部７０が回動されると第二節部７１が後端を上方に持ち上げるように回動されるようになっている。（図１６）第二節部７１がこのように回動されると押し上げ突部７１ｂが第二スライドロック部６１に入り込んでいる第二スライダ４１の回動体４１２の摺接部４１２ｂに下方から当たりこの回動体４１２を傾動前の位置まで回動させるようになっている。（図５→図６）このように第二スライダ４１の回動体４１２が傾動前の位置に回動されると摺接部４１２ｂは第二スライドロック部６１から抜け出しアーム２の往動が許容されることとなる。【００８４】
図示の例にあっては、かかるアーム２が往動前位置にある状態において、第一スライダ４０と第二スライダ４１との間に間隔ｓが形成されるようにしてある。（図５）【００８５】
これにより、第二スライダ４１のスライドロックを前記解除手段７により解くと同時に第二スライダ４１を第一スライダ４０に組スライダ４を構成する付勢手段４２によって引き寄せて、第二スライダ４１の摺接部４１２ｂが前記解除をなしたにもかかわらず第二スライドロック部６１に予期せず入り込んでしまうことがないようになっている。（図６→図７）また、このようにした場合、アーム２が往動前位置にあるときにも第一スライダ４０と第二スライダ４１との間に両者を引き寄せ合う付勢手段４２の付勢力を働かせることができ、アーム２が往動前位置にある状態を安定的に確保させることができる。【００８６】
リッドＭａと組み合わされて可動体Ｍの一部を構成するアーム２の往動前位置において、第二スライダ４１はスライドロックされ、かつ、第一スライダ４０は第一掛合部５０を捕捉してスライドフリーとされるようになっている。（図５）第二掛合部５１は第二スライドロック部６１に回動体４１２の摺接部４１２ｂを入れ込みスライドロックされた第二スライダ４１の後方に位置される。この状態から解除手段７によるこの第二スライダ４１のスライドロックを解除すると可動体Ｍの往動が許容され可動体Ｍが往動されるとこの可動体Ｍ側に備えられた第一掛合部５０を捕捉している第一スライダ４０と一緒に第二スライダ４１も往動される。（図５→図６、図６→図７、さらに図８）【００８７】
アーム２の往動終了位置において、第一スライダ４０は第一掛合部５０をリリースした状態で第一スライドロック部６０によってスライドロックされ、かつ、第二スライダ４１は第二掛合部５１を捕捉した状態でスライドフリーとされるようになっている。（図１１）図示の例では、アーム２が往動する過程において第一スライダ４０の回動体４０２の摺接部４０２ｂが第一スライドロック部６０に入り込む位置に至るとこの回動体４０２の回動軸４０２ａよりも摺接レール部１２から離れた位置で第一掛合部５０は受入凹部４０２ｃに入り込んでいることから摺接レール部１２から外れた摺接部４０２ｂを第一スライドロック部６０に入り込ませる向きに回動体４０２は回動し傾動しこの回動体４０２の受入凹部４０２ｃから第一掛合部５０が前方に抜け出す。（図８）このとき第二スライダ４１は第一スライダ４０の後方においてスライドフリーの状態で停止される。この後さらにアーム２が往動されるとこのように停止されている第二スライダ４１の回動体４１２に備えられた爪体４１２ｅに第二掛合部５１が後方から押し当たると共にこれを弾性的に押し込みながら乗り越え第二掛合部５１は第二スライダ４１の受入凹部４１２ｃに捕捉される。（図１０→図１１）【００８８】
往動終了位置にある可動体Ｍを所定位置まで復動操作させると、図示の例ではリッドＭａの上端に手を掛けるなどして伏倒されたリッドＭａをその回動軸Ｍｂを中心に起立させる向きに移動させると、アーム２も復動される。往動終了位置において第一スライダ４０はスライドロックされ、一方第二スライダ４１は第二掛合部５１を捕捉してスライドフリーとなっているので、このようにアーム２が復動されると第一スライダ４０から第二スライダ４１が離隔され、この離隔により付勢手段４２に蓄勢がされる。図示の例では定荷重バネ４２１がドラム４２２から繰り出されこのバネ４２１に繰り出された部分を巻き取る向きの付勢力が蓄えられる。（図１２）【００８９】
このように往動終了位置にあったアーム２が所定位置まで復動されると、第二スライダ４１は第二掛合部５１をリリースすると共にスライドロックされ、かつ、第一スライダ４０は第一掛合部５０を捕捉すると共にスライドフリーとされるようになっている。（図１３）図示の例では、第二スライダ４１の回動体４１２の摺接部４１２ｂが第二スライドロック部６１に再び入り込む位置までアーム２が復動操作されるとこの回動体４１２の回動軸４１２ａよりも摺接レール部１２から離れた位置で第二掛合部５１は受入凹部４１２ｃに入り込んでいることから摺接レール部１２から外れた摺接部４１２ｂを第二スライドロック部６１に入り込ませる向きに回動体４１２は回動し傾動する。そして、この傾動によって第二スライダ４１から第二掛合部５１はリリースされる。一方、スライドロックされ回動体４０２を傾動させている第一スライダ４０の受入凹部４０２ｃにおける復動先側ｘｒに位置される壁部は掛合部５０、５１の移動軌跡上に位置されており、アーム２が所定位置まで復動されたとき、この壁部に前方から第一掛合部５０が突き当てられるようになっている。（図１２）このように回動体４０２の回動軸４０２ａよりも摺接レール部１２から離れた位置で第一掛合部５０が突き当てられると回動体４０２は傾動前の位置に引き戻し回動されスライドフリーとなると共に第一掛合部５０を捕捉する。（図１３）こうなると前記のように蓄勢された付勢手段４２によって第一スライダ４０は強制的に復動され、これにより可動体Ｍ、つまり、アーム２は復動終了位置まで強制的に移動され、（図１３→図５）よってリッドＭａも本体Ｐａの開口Ｐｂを閉塞した起立位置である復動終了位置まで強制的に移動される。【００９０】
制動手段８は、この実施の形態にあっては、少なくとも、可動体Ｍの往動の最後と復動の最後とにおいて、この可動体Ｍの移動に制動を付与するものとなっている。この実施の形態とは異なり可動体Ｍの往動の最後又は復動の最後において制動手段８によりこの可動体Ｍの移動に制動を付与するようにしておくこともある。【００９１】
図示の例では、かかる制動手段８は、図示しないピストンとシリンダ８０とこのピストンを常時シリンダ８０内から押し出す向きに付勢する図示しない付勢手段とを備えると共に、シリンダ８０内方へのピストンの進入に制動を付与するように構成されたダンパ体によって構成されている。かかる付勢手段としてはバネなどを用いることができる。また、かかる制動はシリンダ８０内に封入させた流体の抵抗をピストンに作用させることにより実現させることができる。ピストンが進入するときは流体はピストンに設けたオリフィスなどから後方に抜け、一方、ピストンが後退するときはこのように後方に移動した流体が抵抗少なく前方に還流するようにしておくことで、主としてピストンの進入時にのみ制動が付与されるようにすることができる。かかる流体としてはシリコンオイルなどの粘性流体を用いることもできる。【００９２】
図１〜図２１に示される例では、このダンパ体のシリンダ８０を納める後端を開放させた角筒状をなす雌アダプタ９０を、第一スライダ４０に組み合わせ、ダンパ体はピストンの移動方向を第一スライダ４０のスライド移動方向ｘに沿わせた状態で、この第一スライダ４０と共に往復動するようにしてある。より具体的には、前記解除手段７の第二節部７１が配される側と反対のケース１の幅広の面部には第一スライダ４０のスライダ主体４０１から側方に一体に延びる組み合わせ用アーム４０１ｂを通す溝状通し部１１ｂが前後方向に亘って形成されている。そして、この溝状通し部１１ｂから外方に突き出される組み合わせ用アーム４０１ｂが前記雌アダプタ９０に止着されている。ダンパ体のピストンにはロッド８１が組み合わされており、このロッド８１は前記雌アダプタ９０の開放された後端から出没可能に入れ込まれ組み合わされた雄アダプタ９１に固定されている。【００９３】
一方、この例では、可動体Ｍを構成するアーム２の後端２１側に、このアーム２に一体に組み付けられ、ケース１に貫通状態に形成された前後方向に亘る溝状通し部１１ｃを通じて外側に位置されるブラケット２４が設けられている。そして、このブラケット２４の後端に、アーム２の往動の過程において前記ピストンの側、つまり、前記ロッド８１の固定された雄アダプタ９１に後方から押し当たるプッシャー体２４ａが備えられている。【００９４】
また、この例では、固定体Ｐ側となるケース１に、このアーム２の復動の過程において前記ピストンの側に押し付けられる壁体１１ｄが備えられている。【００９５】
この例では、可動体Ｍが往動前位置にあるとき、壁体１１ｄが雄アダプタ９１の後端に接して雄アダプタ９１を雌アダプタ９０内に押し込みダンパ体を構成するシリンダ８０内にピストンがもっとも押し込まれ、（図１）かつ、可動体Ｍが往動終了位置にあるとき、プッシャー体２４ａが雄アダプタ９１の後端に接して雄アダプタ９１を雌アダプタ９０内に押し込みダンパ体を構成するシリンダ８０内にピストンがもっとも押し込まれ、（図３）往動および復動の途中ではピストンは図示しない付勢手段により押し込まれる前の位置に戻され、雄アダプタ９１は雌アダプタ９０からもっとも突き出されるようになっている。（図２）【００９６】
これより、この例では、少なくとも、可動体Ｍの往動の最後と復動の最後のスピードを減速させて衝撃音の発生などを抑止すると共に、その動作に高級感などを付与させることができる。また、可動体Ｍが往動前位置にある状態から解除手段７の操作によりこの可動体Ｍの往動を許容させたときにはピストンに作用されるダンパ体の付勢手段の付勢力をこの可動体Ｍの往動のための力の一部として利用させることができると共に、可動体Ｍが往動終了位置にある状態からこの可動体Ｍの復動をなす場合には同様にピストンに作用されるダンパ体の付勢手段の付勢力をこの可動体Ｍの復動のための力の一部として利用させることができる。【００９７】
また、この例では、アーム２のブラケット２４にピニオン２４ｃとこれを回転可能に保持すると共にこの回転に常時制動を付与する本体２４ｄとからなるロータリーダンパ２４ｂが備えられていると共に、ケース１にその長さ方向に沿って続きこのロータリーダンパ２４ｂのピニオン２４ｃが常時噛み合うラック部１１ｅが備えられており、可動体Ｍに対してはその往動および復動の全過程において一定の制動が常時付与されるようにしてある。このロータリーダンパ２４ｂの作用によって前述の制動手段８（ダンパ体）を構成するピストンの復帰時間が可動体Ｍの往動及び復動の過程において確保できるようになっている。【００９８】
図２２〜図２６は、かかる制動手段８の配置を変更した例を示している。この例では、ダンパ体はアーム２の上方に位置されるようにケース１内に納められている。アーム２の側方にダンパ体を位置させる場合に比べ、動作装置Ｇの左右方向の寸法を最小化させることが可能となる。可動体Ｍの往動および復動の途中においては、ダンパ体の図示しないピストンは図示しない付勢手段によってシリンダ８０からもっとも押し出され雌アダプタ９０はケース１におけるダンパ体の収容空間１５の前側内壁１５ａに接し、かつ、雄アダプタ９１はこの収納空間１５の後側内壁１５ｂに接する。（図２３）そして、往動終了位置にある可動体Ｍを復動させると一旦雌アダプタ９０内から雄アダプタ９１は突き出されるが所定の復動位置からはアーム２の上部に形成させた後方を向いた段差面２５が前方から収納空間１５からやや下方にはみ出している雌アダプタ９０の前端に押し当たり雄アダプタ９１を雌アダプタ９０内に相対的に押し込みピストンが押し込まれるようになっている。（図２２）また、往動前位置にある可動体Ｍを往動させると同様に一旦雌アダプタ９０内から雄アダプタ９１は突き出されるが所定の往動位置からはアーム２の外側にあってケース１にアーム２の移動方向と同じ向きにスライド移動可能に組み合わされた連動体１６の前端１６ａにアーム２の側部に形成させた突き当たり部２６が後方から突き当たりこの連動体１６を一緒に往動させるようになっている。連動体１６が往動されるとこの連動体１６の後端１６ｂが雄アダプタ９１の後端に押し当たり雄アダプタ９１を雌アダプタ９０内に押し込みピストンが押し込まれるようになっている。（図２４）【００９９】
図２８〜図３６は、図２２〜図２６に示される動作装置を、固定体Ｐとなる前記本体Ｐａの一方の側板Ｐｃの外面側に取り付けて、この本体Ｐａに対し下端において回動可能に組み合わされた可動体ＭとなるリッドＭａをこの動作装置によって前記のように動作させるようにした例を示している。【０１００】
この例では、かかる本体Ｐａに、リッドＭａの上端に形成された被掛合部ＭｃにこのリッドＭａの往動前位置において掛合する掛合部としての爪体Ｐｊａを備えさせていると共に、この掛合の掛合解除手段Ｆを備えている。これによりこの例では、リッドＭａの往動前位置にある状態を安定的に維持できるようになっている。【０１０１】
また、リッドＭａは、このリッドＭａの回動方向に直交する向き、すなわち、リッドＭａの左右方向において間隔を開けた二箇所に、より詳細には、リッドＭａの上部左右両隅部にそれぞれ前記被掛合部Ｍｃを備えている。また、本体Ｐａの開口Ｐｂを挟んだ左右上部にはそれぞれリッドＭａの被掛合部Ｍｃに対応した掛合部となる爪体Ｐｊａが備えられている。これによりこの例では、往動前位置にあるリッドＭａをその移動方向に交叉する方向において位置を異ならせた二箇所で本体Ｐａに対しガタやスキなどを生じないようにして保持させることができる。【０１０２】
図示の例では、リッドＭａの被掛合部Ｍｃは、往動前位置においてリッドＭａの上端から内方に向けて突き出す突き出し部Ｍｃａとこの突き出し部Ｍｃａの端部から下方に向けて突き出すフック部Ｍｃｂとを備えている。一方、本体Ｐａの爪体Ｐｊａは、外端Ｐｊｃに上向きに突き出すこの爪体Ｐｊａを有し、内端Ｐｊｄにおいて本体Ｐａの上部外面に固定されるプラットフォーム部材Ｐｍに水平軸Ｐｊｅをもって回動可能に組み付けられ、さらに、この外端Ｐｊｃと内端Ｐｊｄとの間に掛合解除手段Ｆを構成する突出部Ｐｊｆを備えており、ねじりコイルバネなどの付勢手段Ｐｊｇによって往動前位置にあるリッドＭａのフック部Ｍｃｂに下方から爪体Ｐｊａを掛合させるように付勢されたロックパーツＰｊに備えられている。【０１０３】
掛合解除手段Ｆは、ボタン体Ｐｄと、連係体Ｐｋと、前記ロックパーツＰｊの突出部Ｐｊｆとから構成されている。ボタン体Ｐｄは本体Ｐａの一方の側板Ｐｃ側にのみ備えられている。また、図示の例では、本体Ｐａの左右の掛合解除手段Ｆがリンクされている。連係体Ｐｋはプラットフォーム部材Ｐｍに前後動可能に組み合わされている。ボタン体Ｐｄはこの連係体Ｐｋの前端部にこの連係体Ｐｋと一体に組み合わされている。連係体Ｐｋは、ボタン体Ｐｄを押し込み操作したときにロックパーツＰｊの突出部Ｐｊｆに前方から突き当たる下方に突き出す脚部Ｐｋａを有している。連係体Ｐｋは後述するレバー体Ｐｆに作用される付勢力によって前進位置に位置づけられ、ボタン体Ｐｄも前進位置に位置づけられるようになっている。この状態からボタン体Ｐｄを押し込むと、連係体Ｐｋが後方にスライド移動され、ロックパーツＰｊの突出部Ｐｊｆを押してロックパーツＰｊを前記付勢に抗して爪体Ｐｊａを非掛合位置となる下方に移動させるように回動させるようになっている。（図３０および図３２においてこの位置を想像線で示す。）これによりボタン体Ｐｄが備えられた側においてリッドＭａの被掛合部Ｍｃと爪体Ｐｊａとの掛合が解かれる。また、この例では、プラットフォーム部材Ｐｍに、本体Ｐａの左右方向にスライド移動可能にリンケージロッドＰｎが支持されている。リンケージロッドＰｎの一端は、ボタン体Ｐｄが備えられた側にある掛合解除手段Ｆを構成する連係体Ｐｋに形成されたカム面Ｐｋｂに、プラットフォーム部材ＰｍとリンケージロッドＰｎとの組み合わせ部に備えられたバネＰｎａの付勢により常時押し付けられるようになっていると共に、リンケージロッドＰｎの他端は、これと反対の側にある掛合解除手段Ｆを構成する連係体Ｐｋに形成されたカム面Ｐｋｂに接するようになっている。ボタン体Ｐｄを押し込むと、このボタン体Ｐｄが備えられた側において前記のようにリッドＭａの被掛合部Ｍｃと爪体Ｐｊａとの掛合が解かれると共に、リンケージロッドＰｎがその他端をボタン体Ｐｄが備えられた側と反対の側にある掛合解除手段Ｆを構成する連係体Ｐｋに形成されたカム面Ｐｋｂに押し付ける向きに移動される。これによりボタン体Ｐｄが備えられた側と反対の側においても同時にリッドＭａの被掛合部Ｍｃと爪体Ｐｊａとの掛合が解かれるようになっている。これらの掛合の解除により往動終了位置まで往動されたリッドＭａが復動されるときは復動終了位置に至る直前で掛合位置に爪体Ｐｊａを付勢により再び位置づけたロックパーツＰｊのこの爪体Ｐｊａの外側に形成された傾斜面Ｐｊｂに被掛合部Ｍｃのフック部Ｍｃｂの外側に形成された傾斜面Ｍｃｃが接してロックパーツＰｊは爪体Ｐｊａを非掛合位置とする位置まで回動され、リッドＭａの復動終了位置への復動を許容させると共に、リッドＭａがこの復動終了位置に至ったときはロックパーツＰｊは付勢により爪体Ｐｊａを掛合位置に再び位置づけ、リッドＭａの被掛合部Ｍｃに爪体Ｐｊａを掛合させてリッドＭａの往動前位置にある状態を改めて安定的に維持するようになっている。【０１０４】
また、図２８〜図３６に示される例にあっては、前記掛合解除手段Ｆと第二スライダ４１のスライドロックの解除手段７とが連係されており、リッドＭａの被掛合部Ｍｃへの本体Ｐａの掛合部（爪体Ｐｊａ）の掛合が解かれると同時に第二スライダ４１のスライドロックが解かれるようになっている。【０１０５】
具体的には、図示の例にあっては、プラットフォーム部材Ｐｍに、前端を連係体Ｐｋの後端部に図示しないねじりコイルバネなどの付勢手段の付勢により常時押し付けさせると共に、後端を解除手段７を構成する第一節部７０の前方に位置させるようにしたレバー体Ｐｆが回動可能に組み合わされている。そして、ボタン体Ｐｄを押し込むと、連係体Ｐｋを介してレバー体Ｐｆの上部が後方に移動されこのレバー体Ｐｆの上部の移動によってこの第一節部７０の上部７０ａが下方に押し込まれ第二スライダ４１のスライドロックが解かれるようになっている。【０１０６】
＜第２実施形態＞
次に、図３７〜図５１に基づいて、本発明の第２実施形態のリッド装置について説明する。なお、第１実施の形態と略同一の内容については説明を省略する。【０１０７】
図３７に示すように、本実施形態では、略長箱状を成す本体１０２の開口部１０４を略長板状のリッド１０６によって開閉可能としている。リッド１０６の内面には（図３８参照）、本体１０２の側壁１０２Ａの外面に対面可能なアーム１０８がそれぞれ設けられている。このアーム１０８の基部には、軸孔１０８Ａが形成されており、本体１０２の側壁１０２Ａの下部に設けられたシャフト１１０に外挿可能とされている。これにより、アーム１０８はこのシャフト１１０を中心に回転し、該アーム１０８を介して、本体１０２に対してリッド１０６が開閉可能となる。【０１０８】
ここで、本体１０２の側壁１０２Ａの外面には、後述するダンパユニット（動作装置）１１２が取付けられており、該ダンパユニット１１２にアーム１０８が連結され、ダンパユニット１１２よる減衰効果がこのアーム１０８を介してリッド１０６に伝達可能とされている。【０１０９】
また、本体１０２の開口縁からは、側壁１０２Ａに対して外側へ向かって直角に折れ曲がるフランジ部１１４が形成されている。このフランジ部１１４には貫通孔１１４Ａが形成されており、該貫通孔１１４Ａには、アーム１０８の基部とリッド１０６の内面とを繋ぐ軸板１１６が挿通可能とされている。つまり、リッド１０６の開閉時には、この軸板１１６が貫通孔１１４Ａ内を往復することとなる。このため、貫通孔１１４Ａは、該軸板１１６が貫通するに必要な大きさであればよい。【０１１０】
（ダンパユニット）
次に、ダンパユニット１１２について説明する。図３９に示すように、ダンパユニット１１２は略扇状に形成された薄型の収容部１１８内に収容可能とされており、蓋部１２０によって覆われ、ユニット化された状態で、本体１０２の側壁１０２Ａ（図３７参照）に装着可能とされている。【０１１１】
また、ダンパユニット１１２は、ロータリダンパユニット１２２と、ピストンダンパユニット１２４と、動力伝達ユニット１２６と、を備えており、動力伝達ユニット１２６を構成する部材の一つである動力伝達スライダ（スライダ）１２８にロータリダンパユニット１２２が設けられている。【０１１２】
（ロータリダンパユニット）
ここで、ロータリダンパユニット１２２について説明する。図３９及び図４０に示すように、ロータリダンパユニット１２２が設けられた動力伝達スライダ１２８は略四角形状を成しており、動力伝達スライダ１２８の表面（蓋部１２０と対面する面側）及び裏面（収容部１１８と対面する面側）には、動力伝達スライダ１２８の移動方向に沿って円弧溝１３４が形成されている。【０１１３】
この円弧溝１３４は、図４１（図３９の４１−４１断面図である）及び図４５に示すように、収容部１１８及び蓋部１２０の一端部から他端部に渡って軸孔１０８Ａの同心円上に形成されたガイドリブ１３６と係合可能となっており、このガイドリブ１３６に沿って動力伝達スライダ１２８が案内される。【０１１４】
また、図４０及び図４１に示すように、動力伝達スライダ１２８の表面側には、１ウェイギア１３８が装着されており、この１ウェイギア１３８に隣接してロータリダンパ１４０が設けられている。ロータリダンパ１４０のハウジング１４０Ｂ内には、シリコンオイルなどの粘性流体が充填されており、ロータリダンパ１４０を構成するギア１４０Ａに１ウェイギア１３８が噛み合った状態で、１ウェイギア１３８には該粘性流体による粘性抵抗により減衰効果が得られることとなる。【０１１５】
一方、蓋部１２０には１ウェイギア１３８と噛み合い可能なラック１４４が形成されており、ラック１４４及び１ウェイギア１３８を介して、動力伝達スライダ１２８には減衰効果が得られることとなる。【０１１６】
１ウェイギア１３８の軸受け孔１３８Ａは、動力伝達スライダ１２８の移動方向に沿って長孔形状を成しており、１ウェイギア１３８の軸部１３８Ｂとの間に若干の遊びを有している。このため、動力伝達スライダ１２８が矢印Ｂ方向へ移動するとき（リッド１０６を開放させるとき）は、ラック１４４によって１ウェイギア１３８はロータリダンパ１４０から離間する方向へ押され、ギア１４０Ａとの噛合い状態が解除されるようになっている。この場合、１ウェイギア１３８（動力伝達スライダ１２８）にはロータリダンパ１４０による減衰効果が作用しないこととなる。【０１１７】
また、動力伝達スライダ１２８の裏面側には、ロータリダンパ１４６を構成するギア１４６Ａが設けられている。このギア１４６Ａは収容部１１８に形成されたラック１５０と噛合っており、動力伝達スライダ１２８の移動方向に拘わらず、ハウジング１４６Ｂ内に充填された粘性流体の粘性抵抗によって、ギア１４６Ａには減衰効果が得られる。【０１１８】
ここで、動力伝達スライダ１２８の表面側には、ボス１５２が突設されており、ボス１５２の移動軌跡に合わせてダンパユニット１１２の蓋部１２０には、開口部１１２Ａ（図３７参照）が形成されている。この開口部１１２Ａを通じてボス１５２が外部に露出することとなるが、このボス１５２にはアーム１０８の先端部に形成された連結孔１５４（図３８参照）が係合可能となっている。このため、アーム１０８（リッド１０６）の移動に合わせてボス１５２（動力伝達スライダ１２８）が移動することとなる。【０１１９】
したがって、動力伝達スライダ１２８、ボス１５２、アーム１０８及び軸板１１６を介して、リッド１０６には、ロータリダンパ１４０、１４６による減衰効果が作用することとなり、リッド１０６を開放（往移動）させる際には、ロータリダンパ１４６による減衰効果が作用し、リッド１０６を閉止（復移動）させる際には、ロータリダンパ１４０、１４６による減衰効果が作用する。【０１２０】
（動力伝達ユニット）
次に、動力伝達ユニット１２６について説明する。図３９に示すように、動力伝達ユニット１２６は、動力伝達スライダ１２８と、エネルギ蓄積側スライダ（第一部材）１３０と、引込側スライダ（第二部材）１３２と、リンク部材１５６と、を含んで構成されている。【０１２１】
動力伝達スライダ１２８の底面には、動力伝達スライダ１２８の移動方向に沿って溝部１２９が凹設されており、該溝部１２９を架け渡すようにして、溝部１２９の一端側と他端側にはそれぞれ連結ピン１２８Ａ、１２８Ｂが設けられている。この連結ピン１２８Ａ、１２８Ｂにエネルギ蓄積側スライダ１３０と引込側スライダ１３２がそれぞれ連結可能とされる。【０１２２】
図４２に示すように、エネルギ蓄積側スライダ１３０は、略角柱状を成しており、エネルギ蓄積側スライダ１３０の表面（蓋部１２０と対面する面側）及び裏面（収容部１１８と対面する面側）には、エネルギ蓄積側スライダ１３０の移動方向に沿ってガイド溝１５８が形成されている。【０１２３】
このガイド溝１５８は、収容部１１８及び蓋部１２０のそれぞれ一端部から中央部に渡って軸孔１０８Ａの同心円上に形成されたガイドリブ１６０と係合可能となっており、該ガイドリブ１６０に沿ってエネルギ蓄積側スライダ１３０が案内される。【０１２４】
エネルギ蓄積側スライダ１３０の一端部（下端部）には、軸孔１６２が貫通している。エネルギ蓄積側スライダ１３０の下端部は、その表面と裏面を角筒状のリンク部材１５６の一端部に形成された一対の軸板１６４間に挿入され、軸板１６４に形成された孔部（図示省略）及び軸孔１６２を貫通するピン１６６によってリンク部材１５６に対してエネルギ蓄積側スライダ１３０が回転可能に軸支されている。つまり、リンク部材１５６とエネルギ蓄積側スライダ１３０は一体となった状態で移動することとなる。【０１２５】
ここで、図４５に示すように、リンク部材１５６の他端側には、コイルスプリング１６８の一端部が装着されている。このコイルスプリング１６８の他端部は、本体１０２の開口部１０４側となる収容部１１８の一端部に装着され、リンク部材１５６の移動によって伸縮可能としている。【０１２６】
一方、エネルギ蓄積側スライダ１３０の他端部（上端部）には、図３９に示す引込側スライダ１３２側が開口とされたコ字状の軸受部１７０が形成されている。この軸受部１７０の互いに対面する軸板１７０Ａにはシャフト１７４が設けられており、連結部１７６が回転可能に軸支されている。【０１２７】
この連結部１７６の回転中心側の上面には連結ピン１２８Ａを保持（連結）するための凹部１７８を構成する突部１７８Ａが突設されている。ここで、連結部１７６の自由端側には中空部１７６Ａが設けられており、中空部１７６Ａにはシャフト１７６Ｂが架け渡されている。このシャフト１７６Ｂには略扇状のプレート１７７が軸支されており、中空部１７６Ａ内を揺動可能とされている。【０１２８】
このプレート１７７の円弧状の自由端部１７８Ｂと連結部１７６の突部１７８Ａとで凹部１７８が形成され、連結ピン１２８Ａが連結可能となる。また、プレート１７７は、トーションスプリング１７９（図４５参照）によって上方へ向かう方向へ付勢されている。【０１２９】
また、連結部１７６の自由端部の下面には、ガイドリブ１６０の上面を摺動可能な摺動部１８０が設けられており、ガイドリブ１６０の形状に沿ってガイドリブ１６０上を移動する。【０１３０】
ここで、図４５に示すように、ガイドリブ１６０は収容部１１８の中央部へ行くとその端部がリンク部材１５６側（下側）へ向かって折れ曲がり、その端部との間に距離を設けてと略平行に形成されたストッパ１６５Ａとの間でロック部（第一ロック部）１８２を形成している。【０１３１】
このロック部１８２では、エネルギ蓄積側スライダ１３０の連結部１７６に設けられた摺動部１８０を介して連結部１７６が、ガイドリブ１６０の形状に沿ってシャフト１７４を中心に自由端側を下方へ向かって回転させた状態で収容され（図４６参照）、エネルギ蓄積側スライダ１３０の移動が規制される（ロック状態）。【０１３２】
このようにして、ロック部１８２によってエネルギ蓄積側スライダ１３０の移動が規制された状態では、図４６に示すように、連結部１７６の凹部１７８の開口が動力伝達スライダ１２８の移動方向を向いている。このため、動力伝達スライダ１２８の移動によって、図４７に示すように、凹部１７８内の連結ピン１２８Ａは該凹部１７８内から外れ、動力伝達スライダ１２８とエネルギ蓄積側スライダ１３０との連結状態が解除される。【０１３３】
ここで、図４３（Ａ）、（Ｂ）に示すように、ロック部１８２にはロック部１８２の形状に合わせて孔部１８４が形成されており、この孔部１８４からは収容部１１８の裏面側に設けられたロック部材１８６（後述する）のロック解除突起１８８が露出している。【０１３４】
ロック部材１８６は、収容部１１８の裏面側で軸部１９０を中心に揺動可能に取付けられており、軸部１９０の周方向に沿って当接部１９２、１９４、１９６が設けられている。この当接部１９２、１９４、１９６は略三角形状を成しており、当接部１９２の頂部からは、孔部１８４に合わせた形状となるように舌部１９８が延出し、該舌部１９８の先端部には、前述したロック解除突起１８８が突設されている。【０１３５】
また、当接部１９４にはスプリング２００の一端部が装着されている。このスプリング２００の他端部は、収容部１１８に装着されており、ロック解除突起１８８が孔部１８４の下端部に配置される方向へロック部材１８６を付勢している。【０１３６】
当接部１９２を間において、当接部１９４の略反対側には当接部１９６が設けられているが、この当接部１９６にはリッド１０６を開放させる際に押圧するボタン体２０２（図３７参照、なお、このボタン体２０２は第１実施形態のボタン体Ｐｄと略同一である）と連動して下方へ移動するロック解除部材２０４が当接するようになっている。【０１３７】
図３２及び図３４に示すように、リッドＭａ（第２実施形態のリッド１０６に相当）は閉止された状態で、ボタン体Ｐｄを押圧すると被掛合部Ｍｃと爪体Ｐｊａとが掛合されるようになっているが、リッドＭａを開放させるとき、ボタン体Ｐｄを押し込むことで、爪体Ｐｊａが回動して、被掛合部Ｍｃとの掛合状態が解除され、これにより、リッドＭａが開放可能となる。【０１３８】
本実施形態では、このボタン体２０２の奥方に、該ボタン体２０２に連動して移動する押圧部２３９を設ける（なお、この押圧部２３９はボタン体２０２と一体に設けても良い）と共に、該押圧部２３９の直線移動を回転移動に変換する略Ｌ字状のリンク部材２４０を設けている。【０１３９】
そして、リンク部材２４０の一端部２４０Ａを、押圧部２３９の移動軌跡の延長線上に配置し、押圧部２３９の移動軌跡の延長線の下方に回転中心部２４０Ｂを設けて、リンク部材２４０の他端部２４０Ｃを下方へ向かって移動させるようにしている。【０１４０】
また、リンク部材２４０の他端部２４０Ｃの移動軌跡上には、略長方形状のロック解除部材２０４を設け、リンク部材２４０の他端部が下方へ移動すると、ロック解除部材２０４の一端部が押圧されるようにする。これにより、ロック解除部材２０４の他端部がロック部材１８６の当接部１９６に当接すると、ロック部材１８６は軸部１９０を中心にスプリング２０６の付勢力の抗する方向へ該ロック部材１８６が揺動する。【０１４１】
これによって、当接部１９２のロック解除突起１８８は、図４３（Ａ）の位置から図４３（Ｂ）の位置へ移動することとなり、該ロック解除突起１８８によって、連結部１７６の自由端側は持ち上げられ、エネルギ蓄積側スライダ１３０のロック状態が解除され、エネルギ蓄積側スライダ１３０は移動可能な状態となる（図４９参照）。【０１４２】
一方、図４４に示すように、引込側スライダ１３２は略角柱状を成しており、引込側スライダ１３２の表面（蓋部１２０と対面する面側）及び裏面（収容部１１８と対面する面側）には、引込側スライダ１３２の移動方向に沿ってガイド溝２０８が形成されている。【０１４３】
このガイド溝２０８は収容部１１８及び蓋部１２０のそれぞれ中央部から他端部に渡ってガイドリブ１６０の同一円周上に形成されたガイドリブ１６１と係合可能となっており、該ガイドリブ１６１に沿って引込側スライダ１３２が案内される。【０１４４】
引込側スライダ１３２の一端部（上端部）には、図３９に示すエネルギ蓄積側スライダ１３０側が開口とされた軸受部２１０が形成されている。この軸受部２１０の互いに対面する軸板２１０Ａにはシャフト２１２が設けられており、連結部２１４が回転可能に軸支されている。この連結部２１４の回転中心側の上面には凹部２１６が形成されており、連結ピン１２８Ｂが連結可能とされている。【０１４５】
また、連結部２１４の上面は、凹部２１６から自由端側へ行くにしたがって、下方へ向かう斜面部２１４Ａが形成されており、連結部２１４の自由端部には、ガイドリブ１６１の上面を摺動可能な摺動部２１８が設けられ、ガイドリブ１６１の形状に沿ってガイドリブ１６１上を移動可能とされている。【０１４６】
ここで、リンク部材１５６の他端部には、ばね材としての定荷重スプリング２２１が巻き取られたドラム２２０が取付けられており、定荷重スプリング２２１の先端部が引込側スライダ１３２に取付けられている。このため、図４６に示すように、引込側スライダ１３２がエネルギ蓄積側スライダ１３０に近接すると定荷重スプリング２２１はドラム２２０から巻き出され、定荷重スプリング２２１には付勢力が蓄積されることとなる。【０１４７】
この定荷重スプリング２２１は復元力は一定であり、ストロークによって変化しないため、定荷重スプリング２２１の復元時には、引込側スライダ１３２を同じ速度で移動させることができ、該引込側スライダ１３２、動力伝達スライダ１２８及びアーム１０８を介してリッド１０６を安定した状態で移動させることができる。また、コイルスプリングよりもへたりが少なく、長寿命である。【０１４８】
一方、ガイドリブ１６１は収容部１１８の中央部へ行くとその端部がリンク部材１５６側（下側）へ向かって折れ曲がり（図４８参照）、その端部との間に距離を設けてと略平行に形成されたストッパ１６５Ｂとの間でロック部（第二ロック部）２２２を形成している。【０１４９】
このロック部２２２では、引込側スライダ１３２の連結部２１４に設けられた摺動部２１８を介して連結部２１４が、ガイドリブ１６１の形状に沿ってシャフト２１２を中心に自由端側を下方へ向かって回転させた状態で収容され（図５０参照）、引込側スライダ１３２の移動が規制される（ロック状態）。【０１５０】
このようにして、ロック部２２２によって引込側スライダ１３２の移動が規制された状態では、図５０に示すように、連結部２１４の凹部２１６の開口が動力伝達スライダ１２８の移動方向を向いている。このため、動力伝達スライダ１２８の移動によって、図５１に示すように、凹部２１６内の連結ピン１２８Ｂは該凹部２１６内から外れ、動力伝達スライダ１２８と引込側スライダ１３２との連結状態が解除される。【０１５１】
以上のように、ロック部１８２、２２２によって、エネルギ蓄積側スライダ１３０、引込側スライダ１３２は、収容部１１８の中央部でその移動がそれぞれ規制される。つまり、エネルギ蓄積側スライダ１３０は収容部１１８の一端部からロック部１８２までの間をガイドリブ１６０に沿って移動し、引込側スライダ１３２はロック部２２２から収容部１１８の他端部までの間をガイドリブ１６１に沿って移動可能となる。【０１５２】
動力伝達スライダ１２８は収容部１１８の一端部から他端部までの間をガイドリブ１３６に沿って移動可能となっているため、エネルギ蓄積側スライダ１３０及び引込側スライダ１３２の連結部１７６、２１４は、それぞれ所定の区間内で連結ピン１２８Ａ、１２８Ｂと連結され、所定の区間を越えるときはその連結状態が解除される。【０１５３】
（ピストンダンパユニット）
次に、ピストンダンパユニット１２４について説明する。図３９に示すように、ピストンダンパユニット１２４は、シリンダ２２４とシリンダ２２４内に挿入されたピストン（図示省略）と該ピストンに連結されたピストンロッド２２８とを含んで構成されており、シリンダ２２４は角状のホルダ２３０に取付けられ、該ホルダ２３０を介して、ピストンダンパユニット１２４が収容部１１８に装着される。【０１５４】
ホルダ２３０にはボス２３２が設けられており、ボス２３２の移動軌跡に合わせてダンパユニット１１２の蓋部１２０には開口部２３４（図３７参照）が形成されている。この開口部２３４を通じてボス２３２が外部に露出することとなるが、このボス２３２にはアーム１０８の中央部に形成された図３８に示す位置戻し用突部２３６と圧縮用突部２３８がアーム１０８の移動方向によって当接可能となっている。【０１５５】
また、ピストンロッド２２８の露出側の先端部が収容部１１８に取付けられており、ボス２３２及びホルダ２３０を介してシリンダ２２４がピストンロッド２２８の軸方向に沿って移動する。シリンダ２２４が矢印Ｃ方向へ移動することで、シリンダ２２４内の空気が圧縮され、これによってボス２３２には減衰効果が得られるようにしている。【０１５６】
圧縮用突部２３８はリッド１０６の閉止時にボス２３２に当接するが、このボス２３２及びホルダ２３０を介してシリンダ２２４を矢印Ｃ方向へ移動させ、ピストンを該シリンダ２２４の奥方へ移動させることで、シリンダ２２４内の空気は圧縮され、圧縮用突部２３８及びアーム１０８を介して、リッド１０６を閉止させる際には、ピストンダンパユニット１２４による減衰効果が得られることとなる。【０１５７】
また、リッド１０６の開放時には、位置戻し用突部２３６がボス２３２に当接するが、ボス２３２及びホルダ２３０を介して、シリンダ２２４が元の位置に戻される。このため、リッド１０６を開放させる際には、ピストンダンパユニット１２４による減衰効果は得られない。【０１５８】
（作用、効果）
次に、図４５〜図５３に基づいて、本発明の第２実施の形態の作用及び効果について説明する。なお、図４５〜図５２には、開放させたリッド１０６を閉止させ、再度開放させるまでの過程が順番に図示されている。また、図５３（Ａ）〜（Ｅ）は、図４５〜図５０で示す動力伝達ユニット１２６の動作を模式化したものであり、（Ａ）は図４５に相当し、（Ｂ）は図４６、（Ｃ）は図４７、（Ｄ）は図４８、（Ｅ）は図５０に相当する。【０１５９】
まず、図４５及び図５３（Ａ）に示すように、リッド１０６が開放された状態では、動力伝達スライダ１２８は収容部１１８の一端部に配置される。この状態では、動力伝達スライダ１２８の連結ピン１２８Ａがエネルギ蓄積側スライダ１３０の連結部１７６に連結されており、引込側スライダ１３２はロック部２２２で移動規制されている。なお、ピストンダンパユニット１２４を構成するホルダ２３０のボス２３２は、アーム１０８の位置戻し用突部２３６に当接している。【０１６０】
この状態から、図４６に示すように、リッド１０６を所定角度閉止させると、アーム１０８の移動によって、ボス２３２は、圧縮用用突部２３８に当接する。また、アーム１０８の移動によって、ボス１５２を介して動力伝達スライダ１２８が矢印Ａ方向へ移動する。【０１６１】
動力伝達スライダ１２８の移動により、図４１に示す収容部１１８に形成されたラック１５０及び動力伝達スライダ１２８に装着されたギア１４６Ａを介して、動力伝達スライダ１２８にはロータリダンパ１４６による粘性抵抗が作用する。また、蓋部１２０形成されたラック１４４及び動力伝達スライダ１２８に装着された１ウェイギア１３８の軸部１３８Ｂが軸受け孔１３８Ａを矢印Ｂ方向へ移動し、ギア１４０Ａと噛合い、該ギア１４０Ａを介して、動力伝達スライダ１２８にはロータリダンパ１４０による粘性抵抗が作用する。【０１６２】
つまり、リッド１０６を閉止させる方向に対して、リッド１０６の自重に加え、リッド１０６には、動力伝達スライダ１２８、ボス１５２、アーム１０８及び軸板１１６を介して、ロータリダンパユニット１２２を構成するロータリダンパ１４０、１４６による減衰効果が作用することとなる。【０１６３】
また、図５３（Ｂ）に示すように、動力伝達スライダ１２８の矢印Ａ方向への移動により、連結ピン１２８Ａを介してエネルギ蓄積側スライダ１３０が動力伝達スライダ１２８と一緒に移動し、エネルギ蓄積側スライダ１３０を介して、リンク部材１５６が矢印Ａ方向へ移動する。【０１６４】
このとき、引込側スライダ１３２はロック部２２２によって移動が規制された状態であるため、エネルギ蓄積側スライダ１３０の移動によって、エネルギ蓄積側スライダ１３０は引込側スライダ１３２に近接するが、リンク部材１５６の移動によって、リンク部材１５６の他端側に取付けられたドラム２２０と引込側スライダ１３２との距離は離れる。【０１６５】
これにより、定荷重スプリング２２１が該ドラム２２０から巻き出され、定荷重スプリングには付勢力が蓄積される。また、リンク部材１５６の移動によってコイルスプリング１６８が伸長し、コイルスプリング１６８にも付勢力が蓄積される。【０１６６】
つまり、リッド１０６を閉止させる方向に対して、リッド１０６には、リッド１０６の自重に加え、定荷重スプリング２２１及びコイルスプリング１６８による付勢力（抵抗力）も作用することとなる。【０１６７】
そして、図４７に示すように、さらにリッド１０６を閉止させると、エネルギ蓄積側スライダ１３０の連結部１７６がロック部１８２に到達し、摺動部１８０を介して連結部１７６の自由端側がロック部１８２の形状に沿って下方へ向かって回転した状態で、エネルギ蓄積側スライダ１３０の移動が規制される。【０１６８】
この間、アーム１０８の圧縮用突部２３８はボス２３２に当接したままであり、リッド１０６の移動により、アーム１０８、ボス２３２及びホルダ２３０を介して、シリンダ２２４は矢印Ｃ方向へ移動し、シリンダ２２４内の空気は圧縮され、圧縮用突部２３８及びアーム１０８を介して、リッド１０６には、定荷重スプリング２２１及びコイルスプリング１６８による付勢力（抵抗力）に加え、ピストンダンパユニット１２４による減衰効果も作用することとなる。【０１６９】
そして、エネルギ蓄積側スライダ１３０の移動が規制された状態での動力伝達スライダ１２８の移動により、図５３（Ｃ）に示すように、連結部１７６の凹部１７８からは連結ピン１２８Ａが外れ、連結ピン１２８Ｂがロック部２２２によって移動規制された状態の引込側スライダ１３２の連結部２１４の凹部２１６内に入り動力伝達スライダ１２８に引込側スライダ１３２が連結される。【０１７０】
つまり、動力伝達スライダ１２８とエネルギ蓄積側スライダ１３０及び引込側スライダ１３２の間で動力の伝達経路が切り替えられることとなる。【０１７１】
このように、引込側スライダ１３２が動力伝達スライダ１２８に連結されることで、該引込側スライダ１３２が移動可能となるが、定荷重スプリング２２１には付勢力が蓄積されているため、図４８及び図５３（Ｄ）に示すように、定荷重スプリング２２１の復元力によって引込側スライダ１３２は移動することとなる。この引込側スライダ１３２の移動により、動力伝達スライダ１２８が移動し、該動力伝達スライダ１２８を介してリッド１０６が閉止される方向へ移動する。【０１７２】
すなわち、開放されたリッド１０６を閉止方向へ移動させる際、リッド１０６の閉止移動開始位置から閉止移動途中は、定荷重スプリング２２１には付勢力が蓄積されるため、リッド１０６の自重等に加え、定荷重スプリング２２１の付勢力に抗する方向への力が別途必要となるが、閉止移動終了位置近くでは、定荷重スプリング２２１の復元力による引込力により、リッド１０６の手動操作の荷重が低減され（低荷重区間）、もしくはリッド１０６の操作荷重を越える定荷重スプリング２２１の復元力により手動操作の荷重が不要とされ（ゼロ荷重区間）、リッド１０６を自動的に引き込むことが可能となる。【０１７３】
一方、図４７及び図４８に示すように、リッド１０６には、閉止させる方向に対して、ロータリダンパ１４０、１４６、ピストンダンパユニット１２４及びコイルスプリング１６８による減衰効果が作用するため、リッド１０６の引込時には、これらによって、リッド１０６の移動速度を減速させ、衝撃音の発生などを抑制すると共に、リッド１０６の動作に高級感などを付与することができる。【０１７４】
また、ここでは、動力伝達スライダ１２８がエネルギ蓄積側スライダ１３０と連結された状態でエネルギ蓄積側スライダ１３０が移動し、定荷重スプリング２２１に付勢力が蓄積され、動力伝達スライダ１２８と引込側スライダ１３２が連結することで、リッド１０６の手動操作区間から低荷重区間もしくはゼロ荷重区間に切り替えられることとなるが、動力伝達スライダ１２８とエネルギ蓄積側スライダ１３０との連結状態が解除されてから動力伝達スライダ１２８と引込側スライダ１３２が連結されるまでの間に所定の距離を設けている。これにより、リッド１０６への操作応力が急に低減しリッド１０６が急に移動してしまうという感覚を低減している。つまり、リッド１０６の自然な動きを実現している。【０１７５】
なお、リッド１０６が閉止された状態では、コイルスプリング１６８は付勢力は蓄積された状態となっている。【０１７６】
次に、閉止されたリッド１０６を開放させるが、図３７に示すボタン体２０２を押し込み、図３２に示す爪体Ｐｊａを回動させて、被掛合部Ｍｃとの掛合状態を解除し、リッド１０６（なお、図３２のリッドＭａに相当）を開放可能とする。【０１７７】
このとき、ボタン体２０２の移動によって、図４３（Ａ）、（Ｂ）に示すように、押圧部２３９が移動し、リンク部材２４０を介してロック解除部材２０４が下方へ移動し、ロック部材１８６の揺動によって、図４９に示すように、ロック解除突起１８８がロック部１８２の孔部１８４に沿って移動し、エネルギ蓄積側スライダ１３０の連結部１７６を持ち上げてロック部２２２とのロック状態を解除し、エネルギ蓄積側スライダ１３０が移動可能となる。【０１７８】
ここで、リッド１０６が閉止された状態では、コイルスプリング１６８には付勢力が蓄積された状態であるため、リッド１０６が開放可能となり、エネルギ蓄積側スライダ１３０が移動可能となることで、コイルスプリング１６８の復元力により、該コイルスプリング１６８を介してリンク部材１５６及びエネルギ蓄積側スライダ１３０が、ガイドリブ１６０に沿って収容部１１８の一端側へ移動する。つまり、リッド１０６には開放方向への力が作用することとなる。【０１７９】
動力伝達スライダ１２８、引込側スライダ１３２及びピストンダンパユニット１２４によるモーメントはリッド１０６の閉止方向へ向かって作用しているため、コイルスプリング１６８の復元力によってリッド１０６を開放させる方向へ向かうモーメントを作用させることで、これらのモーメントを相殺することで、自重によりリッド１０６を開放させることが可能となる。【０１８０】
ここで、コイルスプリング１６８の復元力により、リッド１０６が開放方向へ移動すると、アーム１０８に設けられたボス１５２を介して、動力伝達スライダ１２８が移動する。これにより、図４１に示すラック１５０及び動力伝達スライダ１２８に装着されたギア１４６Ａを介して、動力伝達スライダ１２８にはロータリダンパ１４６による粘性抵抗が作用し、リッド１０６は静かに開放される。【０１８１】
これに対して、１ウェイギア１３８は、リッド１０６が開放方向へ移動すると、ラック１４４によってロータリダンパ１４０から離間する方向へ押されるため、ギア１４０Ａとの噛合い状態が解除される。このため、リッド１０６の開放時には、ロータリダンパ１４０による減衰効果は作用しない。【０１８２】
一方、図４９及び図５３（Ｄ）に示すように、動力伝達スライダ１２８の連結ピン１２８Ｂと引込側スライダ１３２の連結部２１４は連結された状態であり、図５０及び図５３（Ｅ）に示すように、引込側スライダ１３２がロック部２２２によって移動規制されるまでの間、エネルギ蓄積側スライダ１３０と引込側スライダ１３２の距離は一定に保持されることとなる。【０１８３】
引込側スライダ１３２がロック部２２２によって移動規制された状態で、動力伝達スライダ１２８がさらに矢印Ｂ方向へ移動すると、図５１に示すように、動力伝達スライダ１２８の連結ピン１２８Ｂが引込側スライダ１３２の連結部２１４から外れ、動力伝達スライダ１２８は単独で移動することとなる。【０１８４】
また、アーム１０８の位置戻し用突部２３６によって、ボス２３２及びホルダ２３０を介して、シリンダ２２４は元に位置に戻るよう移動する。【０１８５】
そして、動力伝達スライダ１２８の先端部がエネルギ蓄積側スライダ１３０の連結部１７６に設けられたプレート１７７の弦部分に当接すると、該プレート１７７がシャフト１７６Ｂを中心にトーションスプリング１７９の付勢力に抗して下方へ揺動する（図５２参照）。連結ピン１２８Ａが該弦部分上を移動し、プレート１７７の自由端部１７８Ｂを通過すると、該プレート１７７がトーションスプリング１７９の復元力によって上方へ揺動し、図４５に示すように、プレート１７７の自由端部１７８Ｂと連結部１７６の突部１７８Ａとで形成される凹部１７８内に連結ピン１２８Ａが入り込み、エネルギ蓄積側スライダ１３０に動力伝達スライダ１２８が連結される。【０１８６】
ところで、本実施形態では、アーム１０８の基部とリッド１０６の内面とを繋ぐ軸板１１６を設け、本体１０２に形成されたフランジ部１１４に貫通孔１１４Ａを形成して、リッド１０６の開閉時に該貫通孔１１４Ａ内を軸板１１６が貫通するようにしている。例えば、このリッド装置１００をグローブボックスとして使用する場合、本体１０２が車両のインストルメントパネル（図示省略）に取付けられ、車室内側でリッド１０６が開閉することとなるが、リッド１０６の開閉時に車室内では軸板１１６しか露出しないため、アーム１０８が露出する場合と比較して見栄えがよく、高級感が得られる。【０１８７】
また、本実施形態では、ダンパユニット１１２を、収容部１１８と蓋部１２０とで構成された空間内に収容し、ユニット化された状態で、本体１０２の側壁１０２Ａ（図３７参照）に装着可能としたが、これにより、ダンパユニット１１２の本体１０２への取付けが大変容易になる。【０１８８】
なお、本実施形態では、本体１０２（固定側）にダンパユニット１１２を設けたが、リッド１０６（可動側）に該ダンパユニット１１２を設けてもよい。また、動力伝達スライダ１２８、エネルギ蓄積側スライダ１３０及び引込側スライダ１３２を全て本体１０２側に設けたが、動力伝達スライダ１２８と、エネルギ蓄積側スライダ１３０及び引込側スライダ１３２とを、本体１０２側とリッド１０６側とで別々に設けても良い。【０１８９】
さらに、本実施形態では、定荷重スプリング２２１において、エネルギ蓄積側スライダ１３０と引込側スライダ１３２が近接することで付勢力を蓄積させるようにしたが、エネルギ蓄積側スライダ１３０と引込側スライダ１３２が離間することで付勢力が蓄積される構成でもよい。
【図１】
2008044758.tif 000003
【図２】
2008044758.tif 000004
【図３】
2008044758.tif 000005
【図４】
2008044758.tif 000006
【図５】
2008044758.tif 000007
【図６】
2008044758.tif 000008
【図７】
2008044758.tif 000009
【図８】
2008044758.tif 000010
【図９】
2008044758.tif 000011
【図１０】
2008044758.tif 000012
【図１１】
2008044758.tif 000013
【図１２】
2008044758.tif 000014
【図１３】
2008044758.tif 000015
【図１４】
2008044758.tif 000016
【図１５】
2008044758.tif 000017
【図１６】
2008044758.tif 000018
【図１７】
2008044758.tif 000019
【図１８】
2008044758.tif 000020
【図１９】
2008044758.tif 000021
【図２０】
2008044758.tif 000022
【図２１】
2008044758.tif 000023
【図２２】
2008044758.tif 000024
【図２３】
2008044758.tif 000025
【図２４】
2008044758.tif 000026
【図２５】
2008044758.tif 000027
【図２６】
2008044758.tif 000028
【図２７】
2008044758.tif 000029
【図２８】
2008044758.tif 000030
【図２９】
2008044758.tif 000031
【図３０】
2008044758.tif 000032
【図３１】
2008044758.tif 000033
【図３２】
2008044758.tif 000034
【図３３】
2008044758.tif 000035
【図３４】
2008044758.tif 000036
【図３５】
2008044758.tif 000037
【図３６】
2008044758.tif 000038
【図３７】
2008044758.tif 000039
【図３８】
2008044758.tif 000040
【図３９】
2008044758.tif 000041
【図４０】
2008044758.tif 000042
【図４１】
2008044758.tif 000043
【図４２】
2008044758.tif 000044
【図４３】
2008044758.tif 000045
【図４４】
2008044758.tif 000046
【図４５】
2008044758.tif 000047
【図４６】
2008044758.tif 000048
【図４７】
2008044758.tif 000049
【図４８】
2008044758.tif 000050
【図４９】
2008044758.tif 000051
【図５０】
2008044758.tif 000052
【図５１】
2008044758.tif 000053
【図５２】
2008044758.tif 000054
【図５３】
2008044758.tif 000055
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
可動体及び固定体のいずれか一方側にスライド移動可能に備えられる組スライダであって、第一スライダと第二スライダと両スライダを常時近接させる向きに付勢連係させる付勢手段とを組み合わせてなる組スライダと、
可動体及び固定体の他方側に備えられる第一掛合部及びこの第一掛合部との間に組スライダのスライド移動方向に間隔を開けて備えられた第二掛合部と、
可動体及び固定体の一方側に備えられる第一スライドロック部及びこの第一スライドロック部との間に組スライダのスライド移動方向に間隔を開けて備えられた第二スライドロック部と、
この第二スライドロック部による第二スライダのスライドロックの解除手段とを備えており、
可動体の往動前位置において、第二スライダは第二掛合部をリリースした状態でスライドロックされ、かつ、第一スライダは第一掛合部を捕捉した状態でスライドフリーとされ、
可動体の往動終了位置において、第一スライダは第一掛合部をリリースした状態で第一スライドロック部によってスライドロックされ、かつ、第二スライダは第二掛合部を捕捉した状態でスライドフリーとされ、
往動終了位置にある可動体を所定位置まで復動操作させる過程で第一スライダから第二スライダが離隔されて付勢手段に蓄勢され、
この後可動体が所定位置に至ったときに、第二スライダは第二掛合部をリリースすると共にスライドロックされ、かつ、第一スライダは第一掛合部を捕捉すると共にスライドフリーとされるようになっていることを特徴とする可動体の動作装置。
【請求項２】
可動体に常時作用されるこの可動体をその往動終了位置に往動させる向きの力によって、可動体の往動前位置において第二スライダのスライドロックの解除をしたときに、可動体の往動がなされるようになっていることを特徴とする請求項１記載の可動体の動作装置。
【請求項３】
第一スライダ及び第二スライダは、スライダ主体とこのスライダ主体に回動可能に組み付けられた回動体とを備えており、
第一スライダの回動体は、その回動軸よりも可動体の往動先側に摺接部を備えていると共に、この回動軸と摺接部との間に第一掛合部の受入凹部を備えており、
第二スライダの回動体は、その回動軸よりも可動体の復動先側に、摺接部を備えていると共に、この回動軸と摺接部との間に第二掛合部の受入凹部を備えており、
可動体及び固定体の一方側には、これら摺接部の摺接レール部が形成されており、
この摺接レール部における可動体の往動先側に位置されるレール端の側方に第一スライドロック部が形成され、かつ、この摺接レール部における可動体の復動先側に位置されるレール端の側方に第二スライドロック部が形成されており、
スライドロック部への摺接部の入り込みにより回動体が傾動され受入凹部から掛合部が抜け出し可能となるようにしてあることを特徴とする請求項１又は請求項２記載の可動体の動作装置。
【請求項４】
第二スライダの回動体が、可動体の復動先側において軸支されると共に、この軸支位置よりも可動体の往動先側に頂部を有し、かつ、この頂部を挟んだ可動体の往動先側の壁部を受入凹部の一方壁部とした爪体と、
この爪体を常時突き出し位置に付勢する付勢手段とを備えていることを特徴とする請求項３記載の可動体の動作装置。
【請求項５】
可動体の往動前位置において、第一スライダと第二スライダとの間に間隔が形成されるようにしてあることを特徴とする請求項３又は請求項４記載の可動体の動作装置。
【請求項６】
少なくとも、可動体の往動の最後及び復動の最後の双方又はいずれか一方において、この可動体の移動に制動を付与する制動手段を備えていることを特徴とする請求項１〜請求項５のいずれか１項に記載の可動体の動作装置。
【請求項７】
制動手段が、ピストンとシリンダとこのピストンを常時シリンダ内から押し出す向きに付勢する付勢手段とを備えると共に、シリンダ内方へのピストンの進入に制動を付与するように構成されたダンパ体によって構成されており、
少なくとも可動体の往動の最後と復動の最後とにおいてシリンダ内方へピストンが進入されるようになっていることを特徴とする請求項６記載の可動体の動作装置。
【請求項８】
ダンパ体を構成するピストン及びシリンダのいずれか一方側が組スライダ側に支持されていると共に、
可動体側にこの可動体の往動の過程において前記ピストン及びシリンダの他方側に押し当たるプッシャー体が備えられていることを特徴とする請求項７記載の可動体の動作装置。
【請求項９】
ダンパ体を構成するピストン及びシリンダのいずれか一方側が組スライダ側に支持されていると共に、
固定体側にこの可動体の復動の過程において前記ピストン及びシリンダの他方に押し付けられる壁体が備えられていることを特徴とする請求項７記載の可動体の動作装置。
【請求項１０】
固定体に、可動体に形成された被掛合部にこの可動体の往動前位置において掛合する掛合部を備えさせていると共に、この掛合の掛合解除手段を備えていることを特徴とする請求項１〜請求項９のいずれか１項に記載の可動体の動作装置。
【請求項１１】
可動体の移動方向に交叉する向きにおいて間隔を開けて少なくとも二箇所に被掛合部が設けられ、固定体にこれに対応する掛合部が備えられていることを特徴とする請求項１０記載の可動体の動作装置。
【請求項１２】
掛合解除手段と第二スライダのスライドロックの解除手段とが連係されており、可動体の被掛合部への固定体の掛合部の掛合が解かれると同時に第二スライダのスライドロックが解かれるようになっていることを特徴とする請求項１０又は請求項１１に記載の可動体の動作装置。
【請求項１３】
請求項１〜請求項１２のいずれか１項に記載の動作装置を構成する可動体を、固定体となる本体の開口を往動前位置で塞ぐリッドとしてなるリッド装置。
【請求項１４】
可動体又は固定体に設けられ、前記可動体の移動により互いに相対移動する第一部材及び第二部材と、
一端部が前記第一部材に連結され、他端部が前記第二部材に連結されて、該第一部材と第二部材の相対移動で付勢力が蓄積される付勢手段と、
前記可動体の移動により前記第一部材を移動させて、前記付勢手段に付勢力を蓄積させた後第一部材をロックし、前記第二部材のロックを解除し、該付勢手段の復元力によって、第二部材を移動させ、該第二部材を介して可動体を移動させる動力伝達手段と、
を有することを特徴とする可動体の動作装置。
【請求項１５】
可動体又は固定体に設けられ、前記可動体の移動により互いに相対移動する第一部材及び第二部材と、
前記可動体又は固定体に設けられ、前記可動体の移動によって移動するスライダと、
一端部が前記第一部材に連結され、他端部が前記第二部材に連結されて、前記第一部材と第二部材の相対移動で付勢力が蓄積される付勢手段と、
前記第一部材の移動軌跡上に設けられ第一部材の移動を規制する第一ロック部と、
前記第一部材に設けられ、前記スライダと連結し、前記第二部材に対して相対移動した前記第一部材が前記第一ロック部で移動規制されると前記スライダとの連結状態が解除される第一連結部と、
前記第二部材に設けられ、前記第一連結部と前記スライダとの連結状態が解除されると該スライダと連結して、付勢手段の復元力によって、スライダを介して前記可動体を移動させる第二連結部と、
を有することを特徴とする可動体の動作装置。
【請求項１６】
前記付勢手段は、ばね材を巻き出して付勢力を蓄積する定荷重スプリングであって、前記第一部材に設けられたリンク部材に前記定荷重スプリングを取付け、定荷重スプリングの前記ばね材が前記第二部材に連結されていることを特徴とする請求項１４又は１５に記載の可動体の動作装置。
【請求項１７】
前記可動体の一方向への移動に対して前記第一部材と前記第二部材とが相対移動し、可動体の他方向への移動に対しては第一部材と第二部材は相対移動しないことを特徴とする請求項１４〜１６のいずれか１項に記載の可動体の動作装置。
【請求項１８】
前記第一連結部と前記スライダとの連結状態が解除されてから前記第二連結部が前記スライダと連結するまでの間に、所定の時間が設けられていることを特徴とする請求項１５〜１７のいずれか１項に記載の可動体の動作装置。
【請求項１９】
前記可動体又は固定側に設けられたラックと、
前記スライダに設けられ前記ラックと噛み合うギアを有するダンパユニットと、
が設けられたことを特徴とする請求項１５〜１８のいずれか１項に記載の可動体の動作装置。
【請求項２０】
前記ダンパユニットが、一方向に対して制動力を作用させる一方向ダンパと、双方向に対して制動力を作用させる双方向ダンパと、を備えていることを特徴とする請求項１９に記載の可動体の動作装置。
【請求項２１】
前記第一部材及び第二部材と、前記付勢手段と、前記動力伝達手段と、が収容部内に収容されユニット化されたことを特徴とする請求項１４〜２０のいずれか１項に記載の可動体の動作装置。
【請求項２２】
請求項１４〜請求項２１のいずれか１項に記載の可動体の動作装置を構成する可動体が、固定体に設けられた開口を塞ぐリッドであることを特徴とするリッド装置。
【国際調査報告】
2008044758.tif 000056
2008044758.tif 000057
2008044758.tif 000058
2008044758.tif 000059